(57)【要約】【課題】可変入賞装置をサブユニット化し、生産性の低下を抑制することができる技術を提供する。【解決手段】遊技盤面に取り付けられた状態で入球口の配置領域を形成する第１サブユニットと、第１サブユニットに取り付けられた状態で配置領域内に入球口を形成する第２サブユニットと、第２サブユニットとともに第１サブユニットに取り付けられ、所定の作動条件が満たされると、入球口への遊技球の入球を困難にする閉位置と入球口への遊技球の入球を容易にする開位置との間で開閉部材を作動させる第３サブユニットとを備える。【選択図】図６
2014128343.tif 000002
【特許請求の範囲】
【請求項１】
遊技中に抽選契機が発生すると、所定の抽選を実行する抽選実行手段と、
前記抽選が実行されると、所定の変動時間にわたり図柄を変動表示させた後に前記抽選の結果に応じた態様で図柄を停止表示させる図柄表示手段と、
遊技盤面に取り付けられた状態で入球口の配置領域を形成する第１サブユニットと、
前記第１サブユニットに取り付けられた状態で前記配置領域内に入球口を形成する第２サブユニットと、
前記第２サブユニットとともに前記第１サブユニットに取り付けられ、前記図柄表示手段により当選態様で図柄が停止表示されると、前記入球口への遊技球の入球を困難にする閉位置と前記入球口への遊技球の入球を容易にする開位置との間で開閉部材を前記遊技盤面に対して垂直方向に変位させて作動させる第３サブユニットと
を備えたことを特徴とする遊技機。
【請求項２】
遊技中に抽選契機が発生すると、所定の抽選を実行する抽選実行手段と、
前記抽選が実行されると、所定の変動時間にわたり図柄を変動表示させた後に前記抽選の結果に応じた態様で図柄を停止表示させる図柄表示手段と、
遊技盤面に取り付けられた状態で入球口の配置領域を形成する第１サブユニットと、
前記第１サブユニットに取り付けられた状態で前記配置領域内に入球口を形成するとともに、前記入球口への遊技球の入球を困難にする閉位置と前記入球口への遊技球の入球を容易にする開位置との間で変位する開閉部材を有した第２サブユニットと、
前記第２サブユニットとともに前記第１サブユニットに取り付けられ、前記図柄表示手段により当選態様で図柄が停止表示されると、前記開閉部材を前記遊技盤面に対して垂直方向に変位させて閉位置と開位置との間で作動させる第３サブユニットと
を備えたことを特徴とする遊技機。
【請求項３】
請求項１又は請求項２のいずれかに記載の遊技機において、
前記第１サブユニットは、
前記遊技盤面に取り付ける台板と、前記入球口を介して前記台板に平行して設けられる前板と、から構成され、
前記台板の縁部及び前記前板の縁部の形状を前記入球口に向けて傾斜させることで、それぞれの前記縁部に接する遊技球を前記入球口に向けて誘導することを特徴とする遊技機。
【請求項４】
請求項１から請求項３のいずれかに記載の遊技機において、
前記第２サブユニットは、
前記入球口に入球した遊技球を前記第３サブユニットに誘導する第２誘導路を備え、
前記第３サブユニットは、
前記第２サブユニットから誘導された遊技球を外部に誘導する第３誘導路を備え、
前記第２誘導路又は第３誘導路の少なくとも一方の誘導路上に、遊技球の通過を検出する検出手段
をさらに備えることを特徴とする遊技機。
【請求項５】
請求項１から請求項４のいずれかに記載の遊技機において、
前記第３サブユニットは、
連結手段を介して前記開閉部材を閉位置と開位置との間で作動させるソレノイドを備え、
前記ソレノイドの動作方向は、前記遊技盤面に対して平行であることを特徴とする遊技機。
【請求項６】
請求項１から請求項５のいずれかに記載の遊技機において、
前記第２サブユニットは、
前記入球口の開口幅を調整する開口幅調整部材を備えることで、前記入球口に入球可能な遊技球の個数を制限することを特徴とする遊技機。
【請求項７】
請求項１から請求項６のいずれかに記載の遊技機において、
前記第２サブユニットは、
入球した前記遊技球を前記遊技盤面に沿う方向への下り傾斜に沿って案内する第１流路と、
前記第１流路の下流端に連なって形成され、前記遊技盤面から奥方向への下り傾斜に沿って前記入球口に入球した遊技球を前記第３サブユニットに誘導する第２流路と、を備え、
前記第１流路の傾斜度合を調整することで、前記入球口に入球した遊技球を前記入球口内に滞在させる時間を調整することを特徴とする遊技機。
【発明の詳細な説明】
【技術分野】
【０００１】
本発明は、所定の条件が成立した場合に、遊技球の入球を可能にする入賞装置を備えた遊技機に関する。
【背景技術】
【０００２】
従来、特別遊技（大当り遊技）中に開閉扉を遊技盤ユニットの盤面に対して垂直方向にスライドさせて大入賞口を開放させることにより、遊技領域を流下する遊技球の入球を可能とした入賞装置に関する技術が開示されている（例えば、特許文献１参照。）。
【０００３】
上記の先行技術では、前後両側飾り板の間にコ字状の大入賞口を設け、そのコ字状の大入賞口の上側に前後方向に移動可能な平板状の開閉扉を設け、その開閉扉をソレノイドを有するアクチュエータにより移動させることで大入賞口を開放したり閉鎖したりしていた。
【先行技術文献】
【特許文献】
【０００４】
【特許文献１】特開２０１２−１０７４０号公報
【発明の概要】
【発明が解決しようとする課題】
【０００５】
上述した先行技術では、大入賞口、開閉扉、アクチュエータ等を組み合わせて可変入賞装置を作成し、その可変入賞装置を遊技機の遊技盤面に取り付けていた。したがって、種類の異なる遊技機に対応して可変入賞装置を個別に作成する必要があり、遊技機の種類に応じて可変入賞装置を変更する必要があり、生産性の低下を抑制することができなかった。
【０００６】
そこで本発明は、可変入賞装置をサブユニット化し、生産性の低下を抑制する技術の提供を課題とするものである。
【課題を解決するための手段】
【０００７】
本発明は、上記の課題を解決するため以下の解決手段を採用する。
解決手段１：本解決手段の遊技機は、遊技中に抽選契機が発生すると、所定の抽選を実行する抽選実行手段と、前記抽選が実行されると、所定の変動時間にわたり図柄を変動表示させた後に前記抽選の結果に応じた態様で図柄を停止表示させる図柄表示手段と、遊技盤面に取り付けられた状態で入球口の配置領域を形成する第１サブユニットと、前記第１サブユニットに取り付けられた状態で前記配置領域内に入球口を形成する第２サブユニットと、前記第２サブユニットとともに前記第１サブユニットに取り付けられ、前記図柄表示手段により当選態様で図柄が停止表示されると、前記入球口への遊技球の入球を困難にする閉位置と前記入球口への遊技球の入球を容易にする開位置との間で開閉部材を前記遊技盤面に対して垂直方向に変位させて作動させる第３サブユニットとを備えたことを特徴とする遊技機である。
【０００８】
本解決手段によれば、特別図柄に関する内部抽選や普通図柄に関する作動抽選が実行され、それらの抽選の結果が当選に該当し、さらに、特別図柄や普通図柄の当選態様での停止表示が行われると、可変入賞装置や可変始動入賞装置が作動することとなるが、その可変入賞装置や可変始動入賞装置が３つのサブユニットを連結して組み合わせることで完成させることができる。具体的には、遊技盤上の入賞口を形成する位置（配置領域）に第１サブユニットを形成し、入賞口を形成する第２サブユニットを第１サブユニットに連結する。そして、その入賞口の開閉に関する開閉部材を作動させる第３サブユニットを前記第２サブユニットとともに前記第１サブユニットに連結して組み合わせることで完成させることができる。
【０００９】
また、開閉部材が遊技盤面に対して突出したり引っ込んだりとスライドして変位する構造をしている。例えば、突出する位置（閉位置）に開閉部材が変位されると、遊技球は入賞口へ入球できなくなり、引っ込んだ位置（開位置）に開閉部材が変位されると、遊技球は入賞口へ入球が可能となる。このようなスライド式の開閉部材を備えることで、入賞口への入球（入賞）の可否を制御することができ、遊技者に入賞口へ入球（入賞）したか否かを容易に教示することができる。
【００１０】
このように、遊技機の機種（種類）ごとや種々の遊技性に対応して、各サブユニットを独立して生産することができるため、機種ごとの汎用性を向上させることができ、各サブユニットを連結して組み合わせるだけであることから、組立性の向上及び生産性を向上させることができる。
【００１１】
解決手段２：本解決手段の遊技機は、遊技中に抽選契機が発生すると、所定の抽選を実行する抽選実行手段と、前記抽選が実行されると、所定の変動時間にわたり図柄を変動表示させた後に前記抽選の結果に応じた態様で図柄を停止表示させる図柄表示手段と、遊技盤面に取り付けられた状態で入球口の配置領域を形成する第１サブユニットと、前記第１サブユニットに取り付けられた状態で前記配置領域内に入球口を形成するとともに、前記入球口への遊技球の入球を困難にする閉位置と前記入球口への遊技球の入球を容易にする開位置との間で変位する開閉部材を有した第２サブユニットと、前記第２サブユニットとともに前記第１サブユニットに取り付けられ、前記図柄表示手段により当選態様で図柄が停止表示されると、前記開閉部材を前記遊技盤面に対して垂直方向に変位させて閉位置と開位置との間で作動させる第３サブユニットとを備えたことを特徴とする遊技機である。
【００１２】
本解決手段によれば、特別図柄に関する内部抽選や普通図柄に関する作動抽選が実行され、それらの抽選の結果が当選に該当し、さらに、特別図柄や普通図柄の当選態様での停止表示が行われると、可変入賞装置や可変始動入賞装置が作動することとなるが、その可変入賞装置や可変始動入賞装置が３つのサブユニットを連結して組み合わせることで完成させることができる。具体的には、遊技盤上の入賞口を形成する位置（配置領域）に第１サブユニットを形成し、入賞口を形成し、その入賞口を開閉する開閉部材を備える第２サブユニットを第１サブユニットに連結する。そして、その第２サブユニットに備えられる開閉部材を作動させる第３サブユニットを前記第２サブユニットとともに前記第１サブユニットに連結して組み合わせることで完成させることができる。
【００１３】
また、開閉部材が遊技盤面に対して突出したり引っ込んだりとスライドして変位する構造をしている。例えば、突出する位置（閉位置）に開閉部材が変位されると、遊技球は入賞口へ入球できなくなり、引っ込んだ位置（開位置）に開閉部材が変位されると、遊技球は入賞口へ入球が可能となる。このようなスライド式の開閉部材を備えることで、入賞口への入球（入賞）の可否を制御することができ、遊技者に入賞口へ入球（入賞）したか否かを容易に教示することができる。
【００１４】
このように、遊技機の機種（種類）ごとや種々の遊技性に対応して、各サブユニットを独立して生産することができるため、機種ごとの汎用性を向上させることができ、各サブユニットを連結して組み合わせるだけであることから、組立性の向上及び生産性を向上させることができる。
【００１５】
解決手段３：本解決手段の遊技機は、解決手段１又は２において、前記第３サブユニットは、前記開閉部材を遊技盤面に対して垂直方向に変位させて閉位置と開位置との間で作動を行うことを特徴とする遊技機である。
【００１６】
解決手段３：本解決手段の遊技機は、解決手段１又は２のいずれかにおいて、前記第１サブユニットは、前記遊技盤面に取り付ける台板と、前記入球口を介して前記台板に平行して設けられる前板と、から構成され、前記台板の縁部及び前記前板の縁部の形状を前記入球口に向けて傾斜させることで、それぞれの前記縁部に接する遊技球を前記入球口に向けて誘導することを特徴とする遊技機である。
【００１７】
本解決手段では、第１サブユニットは台板（ベース板）と前板（フロントカバー）とから構成されており、各板の縁部（エッジ）の形状が入賞口に向かって傾斜した形状となっている。したがって、遊技領域を流下してきた遊技球が第１サブユニットに接すると、その接したエッジが入賞口に向かって傾斜しているため、入賞口に向かって跳ね返されることとなる。したがって、遊技球が遊技領域を入賞口に向かって流下している際に、第１サブユニットのいずれかの板に当接して跳ね返らされたとしても、その跳ね返った先が入賞口であるため、そのまま入賞口に入球（入賞）することとなる。すなわち、入賞口に入球（入賞）する予定の遊技球が入球（入賞）しないことで、獲得できる予定の賞球が払い出されないことを防ぐことができ、遊技に対する興趣の低下を抑制することができる。
【００１８】
解決手段４：本解決手段の遊技機は、解決手段１から３のいずれかにおいて、前記第２サブユニットは、前記入球口に入球した遊技球を前記第３サブユニットに誘導する第２誘導路を備え、前記第３サブユニットは、前記第２サブユニットから誘導された遊技球を外部に誘導する第３誘導路を備え、前記第２誘導路又は第３誘導路の少なくとも一方の誘導路上に、遊技球の通過を検出する検出手段をさらに備えることを特徴とする遊技機である。
【００１９】
本解決手段では、入賞口に入球（入賞）した遊技球は、第２サブユニット内に設けられた第２誘導路を通過して第３サブユニット内に設けられた第３誘導路に案内され、その後、第３誘導路から排出されることとなる。また、第２サブユニット内の第２誘導路上や第３サブユニット内の第３誘導路上には、遊技球の検出スイッチを備えることが可能である。なお、第２誘導路上に検出スイッチを設けることで、入賞口内に入球（入賞）した遊技球を即座に検出することができる。一方、第３誘導路上に検出スイッチを設けることで、入賞口内に入球（入賞）した遊技球をある程度時間を置いてに検出することができる。したがって、検出スイッチを設置する位置を変更することで、入賞口内に入球（入賞）してからの時間を調整することができ、遊技機の機種（種類）ごとに入球（入賞）に関する設定（遊技性）を変更することができる。すなわち、様々な遊技機の機種（種類）に応用でき、機種ごとの汎用性を向上させることができる。
【００２０】
解決手段５：本解決手段の遊技機は、解決手段１から４のいずれかにおいて、前記第３サブユニットは、連結手段を介して前記開閉部材を閉位置と開位置との間で作動させるソレノイドを備え、前記ソレノイドの動作方向は、前記遊技盤面に対して平行であることを特徴とする遊技機である。
【００２１】
本解決手段では、第３サブユニット内に開閉部材の開閉に関する作動を司るソレノイドが備えられている。そして、このソレノイドが動作する方向、すなわち、ソレノイド内に備えられている鉄心（プランジャー）が移動する方向は、遊技盤面に対して平行である。なお、遊技機を叩くなどして振動を与え、遊技球の流下を意図的に変える行為（ゴト行為、所謂どつき）が行われた場合、その振動は遊技盤に向かって伝わっていくこととなる。したがって、ソレノイドが動作する方向は、ゴト行為により振動が伝わっていく方向と垂直であるため、ソレノイドの鉄心が振動により移動することがないことを表している。すなわち、ソレノイドが動作する方向、すなわち、ソレノイド内に備えられている鉄心（プランジャー）が移動する方向を遊技盤面に対して平行にすることで、ゴト行為などの不正を抑制することができる。
【００２２】
解決手段６：本解決手段の遊技機は、解決手段１から５のいずれかに記載の遊技機において、前記第２サブユニットは、前記入球口の開口幅を調整する開口幅調整部材を備えることで、前記入球口に入球可能な遊技球の個数を制限することを特徴とする遊技機である。
【００２３】
本解決手段では、入賞口の開口幅を調整することで、入賞口に入球可能な遊技球の個数を調整することができる。例えば、開口幅を広く設定することで、短時間に多くの遊技球の入球を可能とすることができ、遊技速度を上げることができる。一方、開口幅を狭く設定することで、演出の時間を長くとることができ、遊技者の興趣の低下を抑制することができる。
【００２４】
このように、遊技機の機種（種類）ごとや種々の遊技性に対応して、開口幅を変更することができるため、機種ごとの汎用性を向上させることができ、各サブユニットを連結して組み合わせるだけであることから、組立性の向上及び生産性を向上させることができる。
【００２５】
解決手段７：本解決手段の遊技機は、解決手段１から６のいずれかに記載の遊技機において、前記第２サブユニットは、入球した前記遊技球を前記遊技盤面に沿う方向への下り傾斜に沿って案内する第１流路と、前記第１流路の下流端に連なって形成され、前記遊技盤面から奥方向への下り傾斜に沿って前記入球口に入球した遊技球を前記第３サブユニットに誘導する第２流路と、を備え、前記第１流路の傾斜度合を調整することで、前記入球口に入球した遊技球を前記入球口内に滞在させる時間を調整することを特徴とする遊技機である。
【００２６】
本解決手段では、入賞口内の流路の傾斜度合を調整することで、入賞口内の滞在時間、すなわち、入賞口内から遊技球が排出されるまでの時間を調整することができる。例えば、傾斜度合を急勾配にすることで遊技球を即座に第３サブユニットに案内し、その入球を検出させることができ、遊技速度を上げることができる。一方、傾斜度合を緩やかにすることで大入賞口内に滞在している様子を長くし、大入賞口内に遊技球が入球（入賞）している様子をじっくり遊技者に見せることができ、遊技に対する興趣の低下を抑制することができる。他にも、傾斜度合を緩やかにすることで、大入賞口に入賞可能な規定された個数以上の遊技球を入球させることができ（所謂、オーバー入賞）、通常よりも多くの賞球を獲得できることから、遊技に対する興趣の低下を抑制することができる。
【００２７】
このように、遊技機の機種（種類）ごとや種々の遊技性に対応して、入賞口内の流路の傾斜度合を変更することができるため、機種ごとの汎用性を向上させることができ、各サブユニットを連結して組み合わせるだけであることから、組立性の向上及び生産性を向上させることができる。
【発明の効果】
【００２８】
本発明の遊技機によれば、可変入賞装置をサブユニット化し、生産性の低下を抑制することができる。
【図面の簡単な説明】
【００２９】
【図１】パチンコ機の正面図である。
【図２】パチンコ機の背面図である。
【図３】遊技盤ユニットを単独で示した正面図である。
【図４】遊技盤ユニットの一部を拡大して示す正面図である。
【図５】パチンコ機に装備された各種の電子機器類を示すブロック図である。
【図６】第２可変入賞装置の構成を分解して示す斜視図である（その１）。
【図７】入賞口用装飾部材の構成を示す斜視図である。
【図８】入賞口用装飾部材の構成を分解して示す斜視図である。
【図９】図７中に示すＩＸ−ＩＸ線に沿う入賞口用装飾部材の断面図である。
【図１０】流路形成部材及び開閉部材からなる構成を示す斜視図である（その１）。
【図１１】流路形成部材及び開閉部材からなる構成を示す斜視図である（その２）。
【図１２】流路形成部材の構成を示す斜視図である。
【図１３】図１２中に示す案内部材を拡大して示す斜視図である。
【図１４】図１２中に示す流路形成部材の正面図である。
【図１５】図１４中に示すＸＶ−ＸＶ線に沿う流路形成部材の横断面図である。
【図１６】図１４中に示すＸＶＩ−ＸＶＩ線に沿う流路形成部材の縦断面図である。
【図１７】流路形成部材、開閉部材、及び、駆動機構からなる構成を分解して示す斜視図である（その１）。
【図１８】流路形成部材、開閉部材、及び、駆動機構からなる構成を分解して示す斜視図である（その２）。
【図１９】駆動機構の内部の構成を分解して示す斜視図である（その１）。
【図２０】駆動機構の内部の構成を分解して示す斜視図である（その２）。
【図２１】第２可変入賞装置の構成を分解して示す斜視図である（その２）。
【図２２】第２可変入賞装置の構成を分解して示す斜視図である（その３）。
【図２３】流路形成部材及び駆動機構を相互に組み合わせた状態で示す斜視図である。
【図２４】図２３中に示す流路形成部材及び駆動機構の正面図である。
【図２５】図２４中に示すＸＸＶ―ＸＸＶ線に沿う流路形成部材及び駆動機構の横断面図である。
【図２６】図２５中に示す遊技球の進行方向を第２流路へ切り替えるための動作原理を模式的に示す図である。
【図２７】図２４中のＸＸＶＩＩ―ＸＸＶＩＩ線に沿う流路形成部材及び駆動機構の縦断面図である。
【図２８】第２実施形態の流路形成部材の構成を示す斜視図である。
【図２９】第２実施形態の入賞口用装飾部材の構成を示す斜視図である。
【発明を実施するための形態】
【００３０】
以下、本発明の実施形態について、図面を参照しながら説明する。
図１は、パチンコ遊技機（以下、「パチンコ機」と略称する。）１の正面図である。また、図２は、パチンコ機１の背面図である。パチンコ機１は、遊技球を遊技媒体として用いるものであり、遊技者は、遊技場運営者から遊技球を借り受けてパチンコ機１による遊技を行う。なお、パチンコ機１における遊技において、遊技球はその１個１個が遊技価値を有した媒体であり、遊技の成果として遊技者が享受する特典（利益）は、例えば、遊技者が獲得した遊技球の数に基づいて遊技価値に換算することができる。以下、図１及び図２を参照しつつ遊技機の全体構成について説明する。
【００３１】
〔遊技機の全体構成〕
パチンコ機１は、その本体として主に外枠ユニット２、一体扉ユニット４及び内枠アセンブリ７（プラ枠、遊技機枠）を備えている。遊技者に相対する正面からみて、その最も前面側には一体扉ユニット４が位置している。一体扉ユニット４の背面側（奥側）には内枠アセンブリ７が位置しており、内枠アセンブリ７の外側を囲むようにして外枠ユニット２が配置されている。
【００３２】
外枠ユニット２は、木材及び金属材を縦長の矩形状に組み合わせた構造体であり、この外枠ユニット２は、遊技場内の島設備（図示されていない）に対してねじ等の締結具を用いて固定されるものである。なお、縦長矩形状の外枠ユニット２において、上下の短辺に相当する部位には木材が用いられており、左右の長辺に相当する部位には金属材が用いられている。
【００３３】
一体扉ユニット４は、その下部位置に受皿ユニット６が一体化された構造である。一体扉ユニット４及び内枠アセンブリ７は、外枠ユニット２を介して島設備に取り付けられ、これらはそれぞれ図示しないヒンジ機構を介して開閉式に動作する。図示しないヒンジ機構の開閉軸線は、パチンコ機１の正面からみて左側端部に沿って垂直方向に延びている。
【００３４】
図１中の正面からみて内枠アセンブリ７の右側縁部（図２では左側縁部）には、その内側に統一錠ユニット９が設けられている。また、これに対応して一体扉ユニット４及び外枠ユニット２の右側縁部（裏側）にも、それぞれ図示しない施錠具が設けられている。図１に示されるように、外枠ユニット２に対して一体扉ユニット４及び内枠アセンブリ７が閉じた状態で、その裏側にある統一錠ユニット９は施錠具とともに一体扉ユニット４及び内枠アセンブリ７の開放を不能にしている。
【００３５】
また、受け皿ユニット６の右側縁部には鍵穴付きのシリンダ錠６ａが設けられている。例えば、遊技場の管理者が専用キーを鍵穴に差し込んでシリンダ錠６ａを時計回りに捻ると、統一錠ユニット９が作動して内枠アセンブリ７とともに一体扉ユニット４の開放が可能な状態となる。これら全体を外枠ユニット２から前面側へ開放する（扉のように動かす）と、前面側にてパチンコ機１の裏側が露出することになる。
【００３６】
一方、シリンダ錠６ａを反時計回りに捻ると、内枠アセンブリ７は施錠されたままで一体扉ユニット４の施錠だけが解除され、一体扉ユニット４が開放可能となる。一体扉ユニット４を前面側へ開放すると遊技盤ユニット８が直に露出し、この状態で遊技場の管理者が盤面内での球詰まり等の障害を取り除くことができる。また、一体扉ユニット４を開放すると、受け皿ユニット６も一緒に前面側へ開放される。
【００３７】
また、パチンコ機１は、遊技用ユニットとして上記の遊技盤ユニット８を備えている。遊技盤ユニット８は、一体扉ユニット４の背後（内側）で上記の内枠アセンブリ７に支持されている。遊技盤ユニット８は、例えば一体扉ユニット４を前面側へ開放した状態で内枠アセンブリ７に対して着脱可能である。一体扉ユニット４には、その中央部に縦長円形状の窓４ａが形成されており、この窓４ａ内にユニット（参照符号なし）が取り付けられている。ガラスユニットは、例えば窓４ａの形状に合わせてカットされた２枚の透明板（ガラス板）を組み合わせたものである。ガラスユニットは、一体扉ユニット４の裏側に図示しない取り付け具を介して取り付けられる。遊技盤ユニット８の前面には遊技領域８ａ（盤面）が形成されており、この遊技領域８ａは窓４ａを通じて前面側から遊技者に視認可能である。一体扉ユニット４が閉じられると、ガラスユニットの内面と盤面との間に遊技球が流下できる空間が形成される。
【００３８】
受け皿ユニット６は、全体的に一体扉ユニット４から前面側へ突出した形状をなしており、その上面に上皿６ｂが形成されている。この上皿６ｂには、遊技者に貸し出された遊技球（貸球）や入賞により獲得した遊技球（賞球）を貯留することができる。また、受け皿ユニット６には、上皿６ｂの下段位置に下皿６ｃが形成されている。この下皿６ｃには、上皿６ｂが満杯の状態でさらに払い出された遊技球が貯留される。なお、本実施形態のパチンコ機１はいわゆるＣＲ機（ＣＲユニットに接続する機種）であり、遊技者が借り受けた遊技球は、賞球とは別に裏側の払出装置ユニット１７２から受け皿ユニット６（上皿６ｂ又は下皿６ｃ）に払い出される。
【００３９】
受け皿ユニット６の上面には貸出操作部１４が設けられており、この貸出操作部１４には、球貸ボタン１０及び返却ボタン１２が配置されている。図示しないＣＲユニットに有価媒体（例えば磁気記録媒体、記憶ＩＣ内蔵媒体等）を投入した状態で球貸ボタン１０を遊技者が操作すると、予め決められた度数単位（例えば５度数）に対応する個数（例えば１２５個）分の遊技球が貸し出される。このため貸出操作部１４の上面には度数表示部（図示されていない）が配置されており、この度数表示部には、ＣＲユニットに投入されている有価媒体の残存度数が表示される。なお、遊技者は、返却ボタン１２を操作することで、度数が残存している有価媒体の返却を受けることができる。本実施形態ではＣＲ機を例に挙げているが、パチンコ機１はＣＲ機とは別の現金機（ＣＲユニットに接続されない機種）であってもよい。
【００４０】
また、受け皿ユニット６の上面には、上段位置にある上皿６ｂの手前に上皿球抜きボタン６ｄが設置されており、そして下皿６ｃの手前でその中央部には下皿球抜きレバー６ｅが設置されている。遊技者は上皿球抜きボタン６ｄを例えば押し込み操作することで、上皿６ｂに貯留された遊技球を下皿６ｃへ流下させることができる。また、遊技者は、下皿球抜きレバー６ｅを例えば左方向へスライドさせることで、下皿６ｃに貯留された遊技球を下方へ落下させて排出することができる。排出された遊技球は、例えば図示しない球受け箱等に受け止められる。
【００４１】
受け皿ユニット６の右下部には、ハンドルユニット１６が設置されている。遊技者はこのハンドルユニット１６を操作することで発射制御基板セット１７４を作動させ、遊技領域８ａに向けて遊技球を発射する（打ち込む）ことができる（球発射装置）。発射された遊技球は、遊技盤ユニット８の下縁部から左側縁部に沿って上昇し、図示しない外バンドに案内されて遊技領域８ａ内に放り込まれる。遊技領域８ａ内には多数の障害釘や風車（図中参照符号なし）等が配置されており、放り込まれた遊技球は障害釘や風車により誘導・案内されながら遊技領域８ａ内を流下する。なお、遊技領域８ａ内（盤面）の構成については、別の図面を参照しながらさらに後述する。
【００４２】
〔枠前面の構成〕
一体扉ユニット４には、演出用の構成要素として左トップレンズユニット４７及び右上電飾ユニット４９が設置されている。このうち左トップレンズユニット４７にはガラス枠トップランプ４６及び左側のガラス枠装飾ランプ４８が組み込まれており、右上電飾ユニット４９には右側のガラス枠装飾ランプ５０が組み込まれている。その他にも一体扉ユニット４には、左トップレンズユニット４７及び右上電飾ユニット４９の下方にそれぞれ連なるようにして左右のガラス枠装飾ランプ５２が設置されており、これらガラス枠装飾ランプ５２は、一体扉ユニット４の左右縁部から受皿ユニット６の前面部にまで回り込むようにして延びている。一体扉ユニット４においてガラス枠トップランプ４６や左右のガラス枠装飾ランプ４８，５０，５２等は、ガラスユニット（参照符号なし）を取り巻くようにして配置されている。
【００４３】
上述した各種ランプ４６，４８，５０，５２は、例えば内蔵するＬＥＤの発光（点灯や点滅、輝度階調の変化、色調の変化等）により演出を実行する。また、一体扉ユニット４の上部において、左トップレンズユニット４７及び右上電飾ユニット４９にはそれぞれガラス枠上スピーカ５４，５５が組み込まれている。一方、外枠ユニット２の左下位置には外枠スピーカ５６が組み込まれている。これらスピーカ５４，５５，５６は、効果音やＢＧＭ、音声等（音響全般）を出力して演出を実行するものである。
【００４４】
また、受け皿ユニット６の中央には、上皿６ｂの手前位置に演出切替ボタン４５（操作入力受付手段）が設置されている。演出切替ボタン４５は、例えば押し込み式の円形状ボタンとその周囲に回転式のジョグリング（ジョグダイアル）を組み合わせた形態である。遊技者は、この演出切替ボタン４５を押し込み操作又は回転操作することで演出内容（例えば液晶表示器４２に表示される背景画面）を切り替えたり、例えば図柄の変動中や大当りの確定表示中、あるいは大当り遊技中に何らかの演出（予告演出、確変昇格演出、大役中の昇格演出等）を発生させたりすることができる。
【００４５】
〔裏側の構成〕
図２に示されているように、パチンコ機１の裏側には、電源制御ユニット１６２や主制御基板ユニット１７０、払出装置ユニット１７２、流路ユニット１７３、発射制御基板セット１７４、払出制御基板ユニット１７６、裏カバーユニット１７８等が設置されている。この他にパチンコ機１の裏側には、パチンコ機１の電源系統や制御系統を構成する各種の電子機器類（図示しない制御コンピュータを含む）や外部端子板１６０、電源コード（電源プラグ）１６４、アース線（アース端子）１６６、図示しない接続配線等が設置されている。なお、電子機器類については別のブロック図に基づいてさらに後述する。
【００４６】
上記の払出装置ユニット１７２は、例えば賞球タンク１７２ａ及び賞球ケース（参照符号なし）を有しており、このうち賞球タンク１７２ａは内枠アセンブリ７の上縁部（裏側）に設置された状態で、図示しない補給経路から補給された遊技球を蓄えることができる。賞球タンク１７２ａに蓄えられた遊技球は、図示しない上側賞球樋を通じて賞球ケースに導かれる。流路ユニット１７３は、払出装置ユニット１７２から送り出された遊技球を前面側の受け皿ユニット６に向けて案内する。
【００４７】
また、上記の外部端子板１６０は、パチンコ機１を外部の電子機器（例えばデータ表示装置、ホールコンピュータ等）に接続するためのものであり、この外部端子板１６０からは、パチンコ機１の遊技進行状態やメンテナンス状態等を表す各種の外部情報信号（例えば賞球情報、扉開放情報、図柄確定回数情報、大当り情報、始動口情報等）が外部の電子機器に向けて出力されるものとなっている。
【００４８】
電源コード１６４は、例えば遊技場の島設備に設置された電源装置（例えばＡＣ２４Ｖ）に接続されることで、パチンコ機１の動作に必要な電源（電力）を確保するものである。また、アース線１６６は、同じく島設備に設置されたアース端子に接続されることで、パチンコ機１のアース（接地）を確保するものである。
【００４９】
〔盤面の構成〕
図３は、遊技盤ユニット８を単独で示した正面図である。遊技領域８ａ内には、その中央位置に比較的大型の演出ユニット４０が配置されており、この演出ユニット４０を中心として遊技領域８ａが左側部分、右側部分及び下部分に大きく分かれている。また、遊技領域８ａ内には、演出ユニット４０の周辺に上始動入賞口２６、始動ゲート２０、普通入賞口２２，２４、可変始動入賞装置２８、第１可変入賞装置３０、第２可変入賞装置（入賞装置）３１等が分布して設置されている。このうち上始動入賞口２６と可変始動入賞装置２８は遊技領域８ａの下部分の中央にそれぞれ上下に配置されており、始動ゲート２０は遊技領域８ａの左側部分に配置されている。また、第１可変入賞装置３０は、可変始動入賞装置２８の下方に配置されており、第２可変入賞装置３１は、遊技領域８ａの右側部分でその下寄りに配置されている。さらに、３つの普通入賞口２２は遊技領域８ａの左側部分でその下寄りに配置されている。残るもう１つの普通入賞口２４は、遊技領域８ａの右側部分で第２可変入賞装置３１の右斜め上方に配置されている。
【００５０】
遊技領域８ａ内に放り込まれた遊技球は、その流下の過程で始動ゲート２０を通過したり、上始動入賞口２６、普通入賞口２２，２４に入球したり、あるいは、作動時の可変始動入賞装置２８や開放動作時の第１可変入賞装置３０、開放動作時の第２可変入賞装置３１に入球したりする。ここで、遊技領域８ａの左側領域を流下する遊技球は、主に始動ゲート２０を通過するか、上始動入賞口２６に入球するか、普通入賞口２２に入球するか、作動時の可変始動入賞装置２８に入球するか、もしくは開放動作時の第１可変入賞装置３０に入球する可能性がある。一方、遊技領域８ａの右側領域を流下する遊技球は、主に普通入賞口２４に入球するか、もしくは開放動作時の第２可変入賞装置３１に入球する可能性がある。始動ゲート２０を通過した遊技球は続けて遊技領域８ａ内を流下するが、上始動入賞口２６、普通入賞口２２，２４、可変始動入賞装置２８、第１可変入賞装置３０、第２可変入賞装置３１に入球した遊技球は遊技板（遊技盤ユニット８を構成する合板材、透明板等）に形成された貫通穴を通じて遊技盤ユニット８の裏側へ回収される。
【００５１】
ここで、本実施形態では遊技領域８ａ（盤面）の構成上、普通入賞口２４や第２可変入賞装置３１に遊技球を入球させる場合は、遊技領域８ａ内の右側部分の領域（右打ち領域）に遊技球を打ち込む（いわゆる「右打ち」を実行する）必要がある。
【００５２】
本実施形態において、上記の可変始動入賞装置２８は、所定の作動条件が満たされた場合（普通図柄が当りの態様で所定の停止表示時間にわたり停止表示された場合）に作動し、それに伴って下始動入賞口２８ａへの入球を可能にする（普通電動役物）。可変始動入賞装置２８は、例えば左右一対の開閉部材２８ｂを有しており、これら開閉部材２８ｂは、例えば図示しないソレノイドを用いたリンク機構の働きにより、盤面に沿って左右方向に往復動作する。すなわち、図３中に実線で示されるように、左右の開閉部材２８ｂは各先端が上を向いた状態で閉止位置にあり、このとき下始動入賞口２８ａへの入球は不能（遊技球が入球できる隙間がない状態）となっている。一方、可変始動入賞装置２８が作動すると、左右の開閉部材２８ｂはそれぞれ閉止位置から開放位置に向けて変位（拡開）し、左右に開口幅を拡大して下始動入賞口２８ａを開放する。この間に可変始動入賞装置２８は遊技球の入球が可能な状態となり、下始動入賞口２８ａへの入球を発生させることができる（可変始動入賞手段）。なお、このとき開閉部材２８ｂは始動入賞口２８ａへの遊技球の入球を案内する部材としても機能する。また、遊技盤ユニット８に設置されている障害釘の配列は、基本的に可変始動入賞装置２８（開放時の下始動入賞口２８ａ）へ向かう遊技球の流下を極端に阻害しない態様となっているが、遊技球が開放動作時の可変始動入賞装置２８（下始動入賞口２８ａ）に必ず入球するというわけではなく、あくまで入球は無作為に発生する。
【００５３】
上記の第１可変入賞装置３０は、特定の作動条件が満たされた場合（特別図柄が非当選以外の態様で停止表示された場合）に作動し、大入賞口（参照符号なし）への入球を可能にする（第１特別電動役物、特別入賞事象発生手段）。第１可変入賞装置３０は、例えば１つの開閉部材３０ａを有している。この開閉部材３０ａは、例えば図示しないソレノイドを用いたリンク機構の働きにより、盤面に対して前後方向に往復動作する。図示のように盤面に沿った状態で開閉部材３０ａは閉位置（閉止状態）にあり、このとき大入賞口への入球は不能（第１大入賞口は閉塞中）である。第１可変入賞装置３０が作動すると、開閉部材３０ａがその下端縁部分をヒンジとして前方へ倒れ込むようにして変位し、大入賞口を開放する（開放状態）。この間に第１可変入賞装置３０は遊技球の入球が不能ではない状態となり、大入賞口への入球という事象を発生させることができる。なお、このとき開閉部材３０ａは大入賞口への遊技球の入球を案内する部材としても機能する。ここでも同様に、遊技盤ユニット８に設置されている障害釘の配列は、基本的に第１可変入賞装置３０（作動時の大入賞口）に向かう遊技球の流下を極端に阻害しない態様となっているが、遊技球が作動時の第１可変入賞装置３０に必ず入球するというわけではなく、あくまで入球は無作為に発生する。
【００５４】
第２可変入賞装置３１は、第１可変入賞装置３０と同様に、規定の条件が満たされた場合（特別図柄が非当選以外の態様で停止表示された場合）に作動し、大入賞口（参照符号なし）への入球を可能にする（第２特別電動役物、特別入賞事象発生手段）。第２可変入賞装置３１は、演出ユニット４０の右下方に配置された装置であり（いわゆる右アタッカ）、例えば１つの開閉部材３１ａを有している。上記の第１可変入賞装置３０は、開閉部材３０ａが前方へ倒れこむタイプの装置を採用しているが、第２可変入賞装置３１は、開閉部材３０ａが盤面の内部にスライドするタイプの装置を採用している（スライド式のアタッカ）。そして、この開閉部材３１ａは、例えば図示しないソレノイドを用いたリンク機構の働きにより、盤面に対して前後方向に往復動作する。開閉部材３１ａは、盤面から遊技者側に突出した状態で閉位置（閉止状態）にあり、このとき遊技球は開閉部材３１ａの上面を転動することになるため、大入賞口への入球は不能（第２大入賞口は閉塞中）である。第２可変入賞装置３１が作動すると、開閉部材３１ａが盤面の内部に引き込まれ、大入賞口を開放する（開放状態）。この間に第２可変入賞装置３１は遊技球の流入が不能ではない状態となり、大入賞口への入球という事象を発生させることができる。
【００５５】
その他、遊技領域８ａ内にはアウト口３２が形成されており、各入賞口に入球しなかった遊技球は最終的にアウト口３２を通じて遊技盤ユニット８の裏側へ回収される。また、普通入賞口２２，２４や可変始動入賞装置２８（下始動入賞口２８ａ）、第１可変入賞装置３０（大入賞口）に入球した遊技球も含めて、遊技領域８ａ内に打ち込まれた全ての遊技球は遊技盤ユニット８の裏側へ回収される。回収された遊技球は、図示しないアウト通路アセンブリを通じてパチンコ機１の裏側から枠外へ排出され、さらに図示しない島設備の補給経路に合流する。
【００５６】
図４は、遊技盤ユニット８の一部（窓４ａ内の右下位置）を拡大して示す正面図である。
遊技盤ユニット８には、例えば窓４ａ内の右下位置に普通図柄表示装置３３及び普通図柄作動記憶ランプ３３ａが設けられている他、第１特別図柄表示装置３４、第２特別図柄表示装置３５、第１特別図柄作動記憶ランプ３４ａ、第２特別図柄作動記憶ランプ３５ａ及び遊技状態表示装置３８が設けられている。
【００５７】
このうち普通図柄表示装置３３は、例えば２つのランプ（ＬＥＤ）を交互に点灯させて普通図柄を変動表示し、そしてランプの点灯又は消灯により普通図柄を停止表示する。普通図柄作動記憶ランプ３３ａは、例えば２つのランプ（ＬＥＤ）の消灯又は点灯、点滅の組み合わせによって０〜４個の記憶数を表示する。例えば、２つのランプをともに消灯させた表示態様では記憶数０個を表示し、１つのランプを点灯させた表示態様では記憶数１個を表示し、同じ１つのランプを点滅させた表示態様では記憶数２個を表示し、１つのランプの点滅に加えてもう１つのランプを点灯させた表示態様では記憶数３個を表示し、そして２つのランプをともに点滅させた表示態様では記憶数４個を表示する、といった具合である。なお、ここでは２つのランプ（ＬＥＤ）を使用することとしているが、４つのランプ（ＬＥＤ）を使用して普通図柄作動記憶ランプ３３ａを構成してもよい。この場合、点灯するランプの個数で作動記憶数を表示することができる。
【００５８】
普通図柄作動記憶ランプ３３ａは、上記の始動ゲート２０を遊技球が通過すると、その都度、作動抽選の契機となる通過が発生したことを記憶する意味で１個ずつ増加後の表示態様へと変化していき（最大４個まで）、その通過を契機として普通図柄の変動が開始されるごとに１個ずつ減少後の表示態様へと変化していく。なお、本実施形態では、普通図柄作動記憶ランプ３３ａが未点灯（記憶数が０個）の場合、普通図柄が既に変動開始可能な状態（停止表示時）で始動ゲート２０を遊技球が通過しても表示態様は変化しない。すなわち、普通図柄作動記憶ランプ３３ａの表示態様によって表される記憶数（最大４個）は、その時点で未だ普通図柄の変動が開始されていない通過の回数を表している。
【００５９】
また、第１特別図柄表示装置３４及び第２特別図柄表示装置３５は、例えば７セグメントＬＥＤ（ドット付き）により特別図柄の変動状態と停止状態とを表示することができる（図柄表示手段、第１図柄表示手段、第２図柄表示手段）。その他、特別図柄表示装置３４は複数のドットＬＥＤを幾何学的（例えば円形状）に配列した形態であってもよい。
【００６０】
また、第１特別図柄作動記憶ランプ３４ａ及び第２特別図柄作動記憶ランプ３５ａは、例えばそれぞれ２つのランプ（ＬＥＤ）の消灯又は点灯、点滅の組み合わせで構成される表示態様により、それぞれ０〜４個の記憶数を表示する（記憶数表示手段）。例えば、２つのランプをともに消灯させた表示態様では記憶数０個を表示し、１つのランプを点灯させた表示態様では記憶数１個を表示し、同じ１つのランプが点滅させた表示態様では記憶数２個を表示し、１つのランプの点滅に加えてもう１つのランプを点灯させた表示態様では記憶数３個を表示し、そして、２つのランプをともに点滅させた表示態様では記憶数４個を表示する、といった具合である。
【００６１】
第１特別図柄作動記憶ランプ３４ａは、上記の上始動入賞口２６に遊技球が入球するごとに、入球が発生したことを記憶する意味で１個ずつ増加後の表示態様へと変化していき（最大４個まで）、その入球を契機として特別図柄の変動が開始されるごとに１個ずつ減少後の表示態様へと変化していく。また、第２特別図柄作動記憶ランプ３５ａは、上記の可変始動入賞装置２８（下始動入賞口）に遊技球が入球するごとに、入球が発生したことを記憶する意味で１個ずつ増加後の表示態様へと変化し（最大４個まで）、その入球を契機として特別図柄の変動が開始されるごとに１個ずつ減少後の表示態様へと変化する。なお、本実施形態では、第１特別図柄作動記憶ランプ３４ａが未点灯（記憶数が０個）の場合、第１特別図柄が既に変動開始可能な状態（停止表示時）で上始動入賞口２６に遊技球が入球しても表示態様は変化しない。また、第２特別図柄作動記憶ランプ３５ａが未点灯（記憶数が０個）の場合、第２特別図柄が既に変動開始可能な状態（停止表示時）で可変始動入賞装置２８（下始動入賞口）に遊技球が入球しても表示態様は変化しない。すなわち、各特別図柄作動記憶ランプ３４ａ，３５ａの表示態様により表される記憶数（最大４個）は、その時点で未だ第１特別図柄又は第２特別図柄の変動が開始されていない入球の回数を表している。
【００６２】
また、遊技状態表示装置３８には、例えば、確率変動状態表示ランプ３８ａ、時短状態表示ランプ３８ｂ、大当り種別表示ランプ３８ｃ，３８ｄ，３８ｅ、発射位置指定表示ランプ３８ｆにそれぞれ対応する６つのＬＥＤが含まれている。なお、本実施形態では、上述した普通図柄表示装置３３や普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ及び遊技状態表示装置３８が１枚の統合表示基板８９に実装された状態で遊技盤ユニット８に取り付けられている。
【００６３】
〔遊技盤ユニットのその他の構成：図３を参照〕
演出ユニット４０は、その上縁部４０ａが遊技球の流下方向を変化させる案内部材として機能する他、その内側に各種の装飾部品４０ｂ，４０ｃを備えている。装飾部品４０ｂ，４０ｃはその立体的な造形により遊技盤ユニット８の装飾性を高めるとともに、例えば内蔵された発光器（ＬＥＤ等）により透過光を発することで、演出的な動作をすることができる。また、演出ユニット４０の内側には液晶表示器４２（画像表示器）が設置されており、この液晶表示器４２には特別図柄に対応させた演出図柄をはじめ、各種の演出画像が表示される。このように遊技盤ユニット８は、その盤面の構成（図示しないセル板のデザイン）や演出ユニット４０の装飾性に基づいて、遊技者にパチンコ機１の特徴を印象付けている。
【００６４】
演出ユニット４０の左側縁部には球案内通路４０ｄが形成されており、その下縁部には転動ステージ４０ｅが形成されている。球案内通路４０ｄは遊技領域８ａ内にて左斜め上方に開口しており、遊技領域８ａ内を流下する遊技球が無作為に球案内通路４０ｄ内に流入すると、その内部を通過して転動ステージ４０ｅ上に放出される。転動ステージ４０ｅの上面は滑らかな湾曲面を有しており、ここでは遊技球が左右方向に転動自在である。転動ステージ４０ｅ上で転動した遊技球は、やがて下方の遊技領域８ａ内に流下する。転動ステージ４０ｅの中央位置には球放出路４０ｆが形成されており、このとき転動ステージ４０ｅから球放出路４０ｆに案内された遊技球は、その真下にある上始動入賞口２６に流入しやすくなる。
【００６５】
その他に演出ユニット４０の内部には、演出用の２つの可動体４０ｇとともに駆動源（例えばモータ、ソレノイド等）が付属されている。演出用の可動体４０ｇは、液晶表示器４２による画像を用いた演出や発光器による演出に加えて、有形物の動作を伴う演出を実行することができる。これら可動体４０ｇを用いた演出により、二次元の画像を用いた演出とは別の訴求力を発揮することができる。
【００６６】
〔制御上の構成〕
次に、パチンコ機１の制御に関する構成について説明する。図５は、パチンコ機１に装備された各種の電子機器類を示すブロック図である。パチンコ機１は、制御動作の中枢となる主制御装置７０（主制御用コンピュータ）を備えており、この主制御装置７０は主に、パチンコ機１における遊技の進行を制御する機能を有している。なお、主制御装置７０は、上記の主制御基板ユニット１７０に内蔵されている。
【００６７】
また、主制御装置７０には、中央演算処理装置である主制御ＣＰＵ７２を実装した回路基板（主制御基板）が装備されており、主制御ＣＰＵ７２は、図示しないＣＰＵコアやレジスタとともにＲＯＭ７４、ＲＡＭ（ＲＷＭ）７６等の半導体メモリを集積したＬＳＩとして構成されている。また、主制御装置７０には、乱数発生器７５やサンプリング回路７７が装備されている。このうち乱数発生器７５は、特別図柄抽選の大当り判定用や普通図柄抽選の当り判定用にハードウェア乱数（例えば１０進数表記で０〜６５５３５）を発生させるものであり、ここで発生された乱数は、サンプリング回路７７を通じて主制御ＣＰＵ７２に入力される。その他にも主制御装置７０には、入出力（Ｉ／Ｏ）ポート７９や図示しないクロック発生回路、カウンタ／タイマ回路（ＣＴＣ）等の周辺ＩＣが装備されており、これらは主制御ＣＰＵ７２とともに回路基板上に実装されている。なお、回路基板上（又は内層部分）には、信号伝送経路や電源供給経路、制御用バス等が配線パターンとして形成されている。
【００６８】
上述した始動ゲート２０には、遊技球の通過を検出するためのゲートスイッチ７８が一体的に設けられている。また、遊技盤ユニット８には、上始動入賞口２６、可変始動入賞装置２８、第１可変入賞装置３０及び第２可変入賞装置３１にそれぞれ対応して上始動入賞口スイッチ８０、下始動入賞口スイッチ８２、第１カウントスイッチ８４及び第２カウントスイッチ８５が装備されている。各始動入賞口スイッチ８０，８２は、上始動入賞口２６、可変始動入賞装置２８（下始動入賞口２８ａ）への遊技球の入賞を検出するためのものである。また、第１カウントスイッチ８４は、第１可変入賞装置３０（大入賞口）への遊技球の入賞を検出し、その数をカウントするためのものである。さらに、第２カウントスイッチ８５は、第２可変入賞装置３１（大入賞口）への遊技球の入賞を検出し、その数をカウントするためのものである。同様に遊技盤ユニット８には、普通入賞口２２への遊技球の入球を検出する第１入賞口スイッチ８６と、普通入賞口２４への遊技球の入球を検出する第２入賞口スイッチ９９（検出手段）とが装備されている。なお、４つの普通入賞口２２については、共通の第１入賞口スイッチ８６を用いる構成を例に挙げているが、例えば４つの入賞口スイッチを設置して、各普通入賞口２２に対する遊技球の入球を個別に検出してもよい。
【００６９】
いずれにしても、これらスイッチ類７８〜８６の入賞検出信号は、図示しない入出力ドライバを介して主制御ＣＰＵ７２に入力される。なお、遊技盤ユニット８の構成上、本実施形態ではゲートスイッチ７８、第１カウントスイッチ８４、第２カウントスイッチ８５、第１入賞口スイッチ８６及び第２入賞口スイッチ９９からの入賞検出信号は、パネル中継端子板８７を経由して送信され、パネル中継端子板８７には、それぞれの入賞検出信号を中継するための配線パターンや接続端子等が設けられている。
【００７０】
上述した普通図柄表示装置３３や普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ及び遊技状態表示装置３８は、主制御ＣＰＵ７２からの制御信号に基づいて表示動作を制御されている。主制御ＣＰＵ７２は、遊技の進行状況に応じてこれら表示装置３３，３４，３５，３８及びランプ３３ａ，３４ａ，３５ａに対する制御信号を出力し、各ＬＥＤの点灯状態を制御している。また、これら表示装置３３，３４，３５，３８及びランプ３３ａ，３４ａ，３５ａは、上記のように１枚の統合表示基板８９に実装された状態で遊技盤ユニット８に設置されており、この統合表示基板８９には上記のパネル中継端子板８７を中継して主制御ＣＰＵ７２から制御信号が送信される。
【００７１】
また、遊技盤ユニット８には、可変始動入賞装置２８、第１可変入賞装置３０及び第２可変入賞装置３１にそれぞれ対応して普通電動役物ソレノイド８８、第１大入賞口ソレノイド９０及び第２大入賞口ソレノイド９７が設けられている。これらソレノイド８８，９０，９７は主制御ＣＰＵ７２からの制御信号に基づいて動作（励磁）し、それぞれ可変始動入賞装置２８、第１可変入賞装置３０及び第２可変入賞装置３１を開閉動作（作動）させる。なお、これらソレノイド８８，９０，９７についても上記のパネル中継端子板８７を中継して主制御ＣＰＵ７２から制御信号が送信される。
【００７２】
その他に上記の一体扉ユニット４にはガラス枠開放スイッチ９１が設置されており、また、上記のプラ枠アセンブリ７にはプラ枠開放スイッチ９３が設置されている。一体扉ユニット４が単独で開放されると、ガラス枠開放スイッチ９１からの接点信号が主制御装置７０（主制御ＣＰＵ７２）に入力され、また、外枠ユニット２からプラ枠アセンブリ７が開放されると、プラ枠開放スイッチ９３からの接点信号が主制御装置７０（主制御ＣＰＵ７２）に入力される。主制御ＣＰＵ７２は、これら接点信号から一体扉ユニット４やプラ枠アセンブリ７の開放状態を検出することができる。なお、主制御ＣＰＵ７２は、一体扉ユニット４やプラ枠アセンブリ７の開放状態を検出すると、上記の外部情報信号として扉開放情報信号を生成する。
【００７３】
パチンコ機１の裏側には、払出制御装置９２が装備されている（特別特典付与手段）。この払出制御装置９２（払出制御コンピュータ）は、上述した払出装置ユニット１７２の動作を制御する。払出制御装置９２には、払出制御ＣＰＵ９４を実装した回路基板（払出制御基板）が装備されており、この払出制御ＣＰＵ９４もまた、図示しないＣＰＵコアとともにＲＯＭ９６、ＲＡＭ９８等の半導体メモリを集積したＬＳＩとして構成されている。払出制御装置９２（払出制御ＣＰＵ９４）は、主制御ＣＰＵ７２からの賞球指示コマンドに基づいて払出装置ユニット１７２の動作を制御し、要求された個数の遊技球の払出動作を実行させる。なお、主制御ＣＰＵ７２は賞球指示コマンドとともに、上記の外部情報信号として賞球情報信号を生成する。
【００７４】
払出装置ユニット１７２の図示しない賞球ケース内には、払出モータ１０２（例えばステッピングモータ）とともに払出装置基板１００が設置されており、この払出装置基板１００には払出モータ１０２の駆動回路が設けられている。払出装置基板１００は、払出制御装置９２（払出制御ＣＰＵ９４）からの払出数指示信号に基づいて払出モータ１０２の回転角度を具体的に制御し、指示された数の遊技球を賞球ケースから払い出させる。払い出された遊技球は、流路ユニット１７３内の払出流路を通って上記の受け皿ユニット６に送られる。
【００７５】
また、例えば賞球ケースの上流位置には払出路球切れスイッチ１０４が設置されている他、払出モータ１０２の下流位置には払出計数スイッチ１０６が設置されている。払出モータ１０２の駆動により実際に賞球が払い出されると、その都度、払出計数スイッチ１０６からの計数信号が払出装置基板１００に入力される。また、賞球ケースの上流位置で球切れが発生すると、払出路球切れスイッチ１０４からの接点信号が払出装置基板１００に入力される。払出装置基板１００は、入力された計数信号や接点信号を払出制御装置９２（払出制御ＣＰＵ９４）に送信する。払出制御ＣＰＵ９４は、払出装置基板１００から受信した信号に基づき、実際の払出数や球切れ状態を検知することができる。
【００７６】
また、パチンコ機１には、例えば下皿６ｃの内部（パチンコ機１の正面からみて奧の位置）に満タンスイッチ１６１が設置されている。実際に払い出された賞球（遊技球）は上記の流路ユニット１７３を通じて上皿６ｂに放出されるが、上皿６ｂが遊技球で満杯になると、それ以上に払い出された遊技球は上述したように下皿６ｃへ流れ込む。さらに下皿６ｃが遊技球で満杯になると、それによって満タンスイッチ１６１がＯＮになり、満タン検出信号が払出制御装置９２（払出制御ＣＰＵ９４）に入力される。これを受けて払出制御ＣＰＵ９４は、主制御ＣＰＵ７２から賞球指示コマンドを受信してもそれ以上の賞球動作を一旦保留とし、未払出の賞球残数をＲＡＭ９８に記憶させておく。なお、ＲＡＭ９８の記憶は電源断時にもバックアップが可能であり、遊技中に停電（瞬間的な停電を含む）が発生しても、未払出の賞球残数情報が消失してしまうことはない。
【００７７】
また、パチンコ機１の裏側には、発射制御基板１０８とともに発射ソレノイド１１０が設置されている。また、受け皿ユニット６内には球送りソレノイド１１１が設けられている。これら発射制御基板１０８、発射ソレノイド１１０及び球送りソレノイド１１１は上述した発射制御基板セット１７４を構成しており、このうち発射制御基板１０８には発射ソレノイド１１０及び球送りソレノイド１１１の駆動回路が設けられている。このうち球送りソレノイド１１１は、受け皿ユニット６内に蓄えられた遊技球を１個ずつ、発射機ケース内で所定の発射位置に送り出す動作を行う。また、発射ソレノイド１１０は、発射位置に送り出された遊技球を打撃し、上記のように遊技領域８ａに向けて遊技球を１個ずつ連続的（間欠的）に打ち出す動作を行う。なお、遊技球の発射間隔は、例えば０．６秒程度の間隔（１分間で１００個以内）である。
【００７８】
一方、パチンコ機１の表側に位置する上記のグリップユニット１６には、発射レバーボリューム１１２、タッチセンサ１１４及び発射停止スイッチ１１６が設けられている。このうち発射レバーボリューム１１２は、遊技者による発射ハンドルの操作量（いわゆるストローク）に比例したアナログ信号を生成する。また、タッチセンサ１１４は、静電容量の変化から遊技者の身体がグリップユニット１６（発射ハンドル）に触れていることを検出し、その検出信号を出力する。そして発射停止スイッチ１１６は、遊技者の操作に応じて発射停止信号（接点信号）を生成する。
【００７９】
上記の受け皿ユニット６には発射中継端子板１１８が設置されており、発射レバーボリューム１１２やタッチセンサ１１４、発射停止スイッチ１１６からの各信号は、発射中継端子板１１８を経由して発射制御基板１０８に送信される。また、発射制御基板１０８からの駆動信号は、発射中継端子板１１８を経由して球送りソレノイド１１１に印加される。遊技者が発射ハンドルを操作すると、その操作量に応じて発射レバーボリューム１１２でアナログ信号（エンコードされたデジタル信号でもよい）が生成され、このときの信号に基づいて発射ソレノイド１１０が駆動される。これにより、遊技者の操作量に応じて遊技球を打ち出す強さが調整されるものとなっている。なお、発射制御基板１０８の駆動回路は、タッチセンサ１１４からの検出信号がオフ（ローレベル）の場合か、もしくは発射停止スイッチ１１６から発射停止信号が入力された場合は発射ソレノイド１１０の駆動を停止する。この他に、発射中継端子板１１８には遊技球等貸出装置接続端子板１２０が接続されており、この遊技球等貸出装置接続端子板１２０に上記のＣＲユニットが接続されていない場合、同じく発射制御基板１０８の駆動回路は発射ソレノイド１１０の駆動を停止する。
【００８０】
また、受け皿ユニット６には度数表示基板１２２及び貸出及び返却スイッチ基板１２３が内蔵されている。このうち度数表示基板１２２には、上記の度数表示部の表示器（３桁分の７セグメントＬＥＤ）が設けられている。また、貸出及び返却スイッチ基板１２３には球貸ボタン１０や返却ボタン１２にそれぞれ接続されるスイッチモジュールが実装されており、球貸ボタン１０又は返却ボタン１２が操作されると、その操作信号が貸出及び返却スイッチ基板１２３から遊技球等貸出装置接続端子板１２０を経由してＣＲユニットに送信される。また、ＣＲユニットからは、有価媒体の残り度数を表す度数信号が遊技球等貸出装置接続端子板１２０を経由して度数表示基板１２２に送信される。度数表示基板１２２上の図示しない表示回路は、度数信号に基づいて表示器を駆動し、有価媒体の残り度数を数値表示する。また、ＣＲユニットに有価媒体が投入されていなかったり、あるいは投入された有価媒体の残り度数が０になったりした場合、度数表示基板１２２の表示回路は表示器を駆動してデモ表示（有価媒体の投入を促す表示）を行うこともできる。
【００８１】
また、パチンコ機１は制御上の構成として、演出制御装置１２４（演出制御用コンピュータ）を備えている。この演出制御装置１２４は、パチンコ機１における遊技の進行に伴う演出の制御を行う。演出制御装置１２４にもまた、中央演算処理装置である演出制御ＣＰＵ１２６を実装した回路基板（複合サブ制御基板）が装備されている。演出制御ＣＰＵ１２６には、図示しないＣＰＵコアとともにメインメモリとしてＲＯＭ１２８やＲＡＭ１３０等の半導体メモリが内蔵されている。なお、演出制御装置１２４は、パチンコ機１の裏側で上記の裏カバーユニット１７８に覆われる位置に設けられている。
【００８２】
また、演出制御装置１２４には、図示しない入出力ドライバや各種の周辺ＩＣが装備されている他、ランプ駆動回路１３２や音響駆動回路１３４が装備されている。演出制御ＣＰＵ１２６は、主制御ＣＰＵ７２から送信される演出用のコマンドに基づいて演出の制御を行い、ランプ駆動回路１３２や音響駆動回路１３４に指令を与えて各種ランプ４６〜５２や盤面ランプ５３を発光させたり、スピーカ５４，５５，５６から実際に効果音や音声等を出力させたりする処理を行う。
【００８３】
演出制御装置１２４と上記の主制御装置７０とは、例えば図示しない通信用ハーネスを介して相互に接続されている。ただし、これらの間の通信は、主制御装置７０から演出制御装置１２４への一方向のみで行われ、逆方向への通信は行われない。なお、通信用ハーネスには、主制御装置７０から演出制御装置１２４に対して送信される各種コマンドのバス幅に応じてパラレル形式を採用してもよいし、それぞれのドライバＩＣ（Ｉ／Ｏ）のハード構成に合わせてシリアル形式を採用してもよい。
【００８４】
ランプ駆動回路１３２は、例えば図示しないＰＷＭ（パルス幅変調）ＩＣやＭＯＳＦＥＴ等のスイッチング素子を備えており、このランプ駆動回路１３２は、ＬＥＤを含む各種ランプに印加する駆動電圧をスイッチング（又はデューティ切替）して、その発光・点滅等の動作を管理する。なお、各種ランプには、上記のガラス枠トップランプ４６，４８やガラス枠サイドランプ５０，受け皿ランプ５２の他に、遊技盤ユニット８に設置された装飾・演出用の盤面ランプ５３が含まれる。盤面ランプ５３は上記の演出ユニット４０に内蔵されるＬＥＤや可変始動入賞装置２８、第１可変入賞装置３０、第２可変入賞装置３１等に内蔵されるＬＥＤに相当するものである。なお、ここでは受け皿ランプ５２がガラス枠電飾基板１３６に接続されている例を挙げているが、受け皿ユニット６に受け皿電飾基板を設置し、受け皿ランプ５２については受け皿電飾基板を介してランプ駆動回路１３２に接続される構成であってもよい。
【００８５】
また、音響駆動回路１３４は、例えば図示しないサウンドＲＯＭや音響制御ＩＣ、アンプ等を内蔵したサウンドジェネレータであり、この音響駆動回路１３４は、上スピーカ５４及び下スピーカ５６を駆動して音響出力を行う。
【００８６】
本実施形態では一体扉ユニット４の内面にガラス枠電飾基板１３６が設置されており、ランプ駆動回路１３２や音響駆動回路１３４からの駆動信号はガラス枠電飾基板１３６を経由して各種ランプ４６〜５２やスピーカ５４，５５，５６に印加されている。また、ガラス枠電飾基板１３６には、上記の演出切替ボタン４５が接続されており、遊技者が演出切替ボタン４５を操作すると、その接点信号がガラス枠電飾基板１３６を通じて演出制御装置１２４に入力される。なお、ここではガラス枠電飾基板１３６に演出切替ボタン４５を接続した例を挙げているが、上記の受け皿電飾基板を設置する場合、演出切替ボタン４５は受け皿電飾基板に接続されていてもよい。
【００８７】
その他、遊技盤ユニット８にはパネル電飾基板１３８が設置されており、このパネル電飾基板１３８には盤面ランプ５３の他に可動体モータ５７が接続されている。可動体モータ５７は、例えば図示しないリンク機構を介して上記の可動体４０ｇを駆動する。ランプ駆動回路１３２からの駆動信号は、パネル電飾基板１３８を経由して盤面ランプ５３及び可動体モータ５７にそれぞれ印加される。
【００８８】
上記の液晶表示器４２は遊技盤ユニット８の裏側に設置されており、遊技盤ユニット８に形成された略矩形の開口を通じてその表示画面が視認可能となっている。また、遊技盤ユニット８の裏側にはインバータ基板１５８が設置されており、このインバータ基板１５８は液晶表示器４２のバックライト（例えば冷陰極管）に印加される交流電源を生成している。さらに、遊技盤ユニット８の裏側には演出表示制御装置１４４が設置されており、液晶表示器４２による表示動作は、演出表示制御装置１４４により制御されている。演出表示制御装置１４４には、汎用の中央演算処理装置である表示制御ＣＰＵ１４６とともに、表示プロセッサであるＶＤＰ１５２を実装した回路基板（演出表示制御基板）が装備されている。このうち表示制御ＣＰＵ１４６は、図示しないＣＰＵコアとともにＲＯＭ１４８、ＲＡＭ１５０等の半導体メモリを集積したＬＳＩとして構成されている。また、ＶＤＰ１５２は、図示しないプロセッサコアとともに画像ＲＯＭ１５４やＶＲＡＭ１５６等の半導体メモリを集積したＬＳＩとして構成されている。なお、ＶＲＡＭ１５６は、その記憶領域の一部をフレームバッファとして利用することができる。
【００８９】
演出制御ＣＰＵ１２６のＲＯＭ１２８には、演出の制御に関する基本的なプログラムが格納されており、演出制御ＣＰＵ１２６は、このプログラムに沿って演出の制御を実行する。演出の制御には、上記のように各種ランプ４６〜５３等やスピーカ５４，５５，５６を用いた演出の制御が含まれる他、液晶表示器４２を用いた画像表示による演出の制御が含まれる。演出制御ＣＰＵ１２６は、表示制御ＣＰＵ１４６に対して演出に関する基本的な情報（例えば演出番号）を送信し、これを受け取った表示制御ＣＰＵ１４６は、基本的な情報に基づいて具体的に演出用の画像を表示する制御を行う。
【００９０】
表示制御ＣＰＵ１４６は、ＶＤＰ１５２に対してさらに詳細な制御信号を出力する。これを受け取ったＶＤＰ１５２は、制御信号に基づいて画像ＲＯＭ１５４にアクセスし、そこから必要な画像データを読み出してＶＲＡＭ１５６に転送する。さらにＶＤＰ１５２は、ＶＲＡＭ１５６上で画像データを１フレーム（単位時間あたりの静止画像）ごとにフレームバッファに展開し、ここでバッファされた画像データに基づき液晶表示器４２の各画素（フルカラー画素）を個別に駆動する。
【００９１】
その他、プラ枠アセンブリ７の裏側には電源制御ユニット１６２（電源制御手段）が装備されている。この電源制御ユニット１６２はスイッチング電源回路を内蔵し、電源コード１６４を通じて島設備から外部電力（例えばＡＣ２４Ｖ等）を取り込むと、そこから必要な電力（例えばＤＣ＋３４Ｖ、＋１２Ｖ等）を生成することができる。電源制御ユニット１６２で生成された電力は、主制御装置７０や払出制御装置９２、演出制御装置１２４、インバータ基板１５８に分配されている。さらに、払出制御装置９２を経由して発射制御基板１０８に電力が供給されている他、遊技球等貸出装置接続端子板１２０を経由してＣＲユニットに電力が供給されている。なお、ロジック用の低電圧電力（例えばＤＣ＋５Ｖ）は、各装置に内蔵された電源用ＩＣ（３端子レギュレータ等）で生成される。また、上記のように電源制御ユニット１６２は、アース線１６６を通じて島設備にアース（接地）されている。
【００９２】
上記の外部端子板１６０は払出制御装置９２に接続されており、主制御装置７０（主制御ＣＰＵ７２）にて生成された各種の外部情報信号は、払出制御装置９２を経由して外部端子板１６０から外部に出力されるものとなっている。主制御装置７０（主制御ＣＰＵ７２）及び払出制御装置９２（払出制御ＣＰＵ９４）は、外部端子板１６０を通じてパチンコ機１の外部に向けて外部情報信号を出力することができる。外部端子板１６０から出力される信号は、例えば遊技場のホールコンピュータ（図示していない）で集計される。なお、ここでは払出制御装置９２を経由する構成を例に挙げているが、主制御装置７０からそのまま外部情報信号が外部端子板１６０に出力される構成であってもよい。
【００９３】
以上がパチンコ機１の制御に関する構成例である。続いて、第２可変入賞装置３１の構成について説明する。図６及び図２１は、第２可変入賞装置３１の構成を概略的に示す分解斜視図である。なお、図６及び図２１はそれぞれ別の角度から第２可変入賞装置３１の構成を示している。本実施形態において第２可変入賞装置３１は、入賞口用装飾部材３１０、流路形成部材３２０及び駆動機構３３０を備えている。
【００９４】
すなわち、第２可変入賞装置３１は大別して３つのサブユニットから形成されている。具体的には、それぞれ入賞口用装飾部材３１０から構成される第１サブユニット、開閉部材３１ａと流路形成部材３２０から構成される第２サブユニット、駆動機構３３０と第２カウントスイッチ８５から構成される第３サブユニットといった３つのサブユニットから形成されている。
【００９５】
第１サブユニットは、遊技盤面上に大入賞口を開設するものであり、大入賞口を有する入賞口用装飾部材３１０を盤面に取り付ける構成となっている。第２サブユニットは、開閉可能な開閉部材３１ａが開状態にある場合に、遊技領域を流下する遊技球が大入賞口へ入球するのを容易にしたり、閉状態にある場合に、大入賞口への入球を阻止したりする構成となっている。さらに、流路形成部材３２０により、大入賞口に入球してきた遊技球を受け止めつつ、第３サブユニットに案内する構成となっている。第３サブユニットは、駆動機構３３０を作動させることにより、連結されている第２サブユニットの開閉部材３１ａを作動させるたり、第２カウントスイッチ８５が第２サブユニットから案内された遊技球を検出したりする構成となっている。
【００９６】
先ず、入賞口用装飾部材３１０から構成される第１サブユニットについて説明する。
【００９７】
〔入賞口用装飾部材〕
図７は、入賞口用装飾部材の構成を示す斜視図であり、図８は、入賞口用装飾部材の構成を分解して示す斜視図である。
入賞口用装飾部材３１０は、ベース板３１０ａ及びフロントカバー３１０ｂにより構成されている。ベース板３１０ａ及びフロントカバー３１０ｂは、例えば、透明（又は半透明）な樹脂材料からなる。したがって、遊技盤ユニット８に設置された状態で、入賞口用装飾部材３１０は、外部からその内部が視認可能に構成されている。
【００９８】
ベース板３１０ａは、背面側の外縁が遊技盤ユニット８の盤面に固定して取り付けられる。また、ベース板３１０ａの背面には、中央付近に嵌込口３１０ｃが形成されている。嵌込口３１０ｃには、流路形成部材３２０が嵌め込まれる。
【００９９】
ベース板３１０ａの外縁のうち、下方に形成された円弧状の部分には、周壁３１０ｄが設けられている。ベース板３１０ａには、周壁３１０ｄに沿ってフロントカバー３１０ｂが位置合わせされた状態でねじ止めされる。また、ベース板３１０ａの外縁のうち、上方には、周壁３１０ｄが設けられている箇所と設けられていない箇所とが存在する。すなわち、ベース板３１０ａとフロントカバー３１０ｂとを重ね合わせた状態で普通入賞口２４や大入賞口に対応する位置には、周壁が設けられておらず、開口が形成されることになる。
【０１００】
図９は、図７中に示すＩＸ−ＩＸ線に沿う入賞口用装飾部材の断面図である。
図７に示すように、ベース板３１０ａ及びフロントカバー３１０ｂには、端部３１７ａ及び３１７ｂが設けられている。また、これらの端部３１７ａ及び３１７ｂは、遊技球が落下してくる際に当接する部分に相当し、各端部３１７ａ及び３１７ｂの形状を加工することにより、遊技球を可変入賞装置３１に入球しやすくしている。具体的には、ベース板３１０ａの端部３１７ａを盤面からみて遊技球が落下する方向に傾斜させた形状にし、フロントカバー３１０ｂの端部３１７ｂをガラス面からみて遊技球が落下する方向に傾斜させた形状にしている。これにより、遊技球が落下してきてベース板３１０ａまたはフロントカバー３１０ｂに当接すると、各端部３１７ａ又は３１７ｂで大入賞口に向けて跳ね返されることとなる。したがって、ベース板３１０ａ及びフロントカバー３１０ｂの端部を傾斜させた形状にすることによって、大入賞口に遊技球を入球させやすくすることができる。
【０１０１】
〔図７参照〕
また、入賞口用装飾部材３１０には、特別遊技中の演出態様に合わせて、フロントカバー３１０ｂの表面に様々な装飾を施したり、フロントカバー３１０ｂとベース板３１０ａとの間に種々の表示装置を設けたりすることが可能である。例えば、普通入賞口２４の右斜め上には、演出用表示装置２００が配置されていてもよい。演出用表示装置２００は、大当り遊技中に普通入賞口２４に入球した遊技球の個数をカウントしたり、大当り遊技中に普通入賞口２４に遊技球が入球した際に、７セグメントＬＥＤで表示する演出用の図柄を変動表示させたりすることができる。
【０１０２】
さらに、普通入賞口２４の右側には、演出用の第１チャンスランプ３００が付属していてもよい。第１チャンスランプ３００は、内蔵するＬＥＤの発光（点灯や消灯等）により演出を実行する。例えば第１チャンスランプ３００は、記憶内連荘が発生することを遊技者に対して教示するランプとして用いることができる。ここで、記憶内連荘とは、大当り遊技前や大当り遊技中に上始動入賞口２６や可変始動入賞装置２８に入賞したことで消費されずに記憶されていた特別図柄に関する内部抽選用の抽選要素（当り判定用乱数）が当選に該当するものであった場合、大当り遊技が終了すると、すぐさま内部抽選で当選して大当り遊技が連続することを表している。
【０１０３】
さらにまた、普通入賞口２４の下側には、演出用の第２チャンスランプ４００が付属していてもよい。第２チャンスランプは、内蔵するＬＥＤの発光（点灯や消灯等）により演出を実行する。例えば第２チャンスランプ４００は、特殊な記憶内連荘が発生すること（１６ラウンド実質１６ラウンド大当りが連続して発生すること）を遊技者に対して教示するランプとして用いることができる。
【０１０４】
次に、開閉部材３１ａと流路形成部材３２０とから構成される第２サブユニットについて説明する。
【０１０５】
図１０及び図１１は、流路形成部材及び開閉部材からなる構成を示す斜視図である。図１０は、開閉部材３１ａが閉状態にある場合の斜視図であり、図１１は、開閉部材３１ａが開状態にある場合の斜視図である。
【０１０６】
開閉部材３１ａは、合成樹脂を材料にして板状に形成され、その板状の遊技盤面側の端部に駆動機構からの動きを伝達する連結アーム３１ｐを備えている。これらの連結アーム３１ｐが駆動機構により作動されることで、開閉部材３１ａが変位することとなる。
【０１０７】
例えば、図１０に示すように、開閉部材３１ａがガラス面側に変位し突出することで流路形成部材３２０の開口部分を覆い隠すことができる。したがって、このガラス面側に変位し突出する状態を閉状態とすると、大入賞口内に遊技球が入球することを阻止することができる。
【０１０８】
一方、図１１に示すように、開閉部材３１ａが遊技盤面側に変位し引っ込むことで流路形成部材３２０の開口部分を露わにすることができる。したがって、この遊技盤面側に変位し引っ込む状態を開状態とすると、大入賞口内に遊技球が入球することを容易にすることができる。
【０１０９】
また、流路形成部材３２０の端部には爪片３２０ｐが両側に形成されており、開閉部材３１ａを流路形成部材３２０内に組み入れた後に落脱することを防いでいる。
【０１１０】
〔流路形成部材〕
次に、流路形成部材３２０について具体的に説明する。図１２は、流路形成部材の構成を示す斜視図である。なお、図１２では、図６中に示した開閉部材３１ａの図示を省略している。
図１２に示すように、流路形成部材３２０は、本体部３２０ａ及び支持部３２０ｂにより構成されており、上記の大入賞口に入球した遊技球を第２カウントスイッチ８５へ向けて案内するための球案内構造を有している。また、本体部３２０ａと支持部３２０ｂとの間には開閉部材３１ａが配置されている。なお、開閉部材３１ａは、遊技領域８ａに対して遊技盤ユニット８の厚み方向に突出した状態から遊技盤ユニット８の裏側に向けて水平移動することにより大入賞口を開放する。
【０１１１】
流路形成部材３２０は、第２可変入賞装置３１の完成状態において、入賞口用装飾部材３１０と駆動機構３３０との間に挟み込まれた状態で固定される。このとき、本体部３２０ａはベース板３１０ａの嵌込口３１０ｃに挿通され、ベース板３１０ａとフロントカバー３１０ｂとの間に配置される。流路形成部材３２０の構成については、図１３〜図１６を参照してさらに詳しく後述する。
【０１１２】
〔流路形成部材の構成〕
図１３は、図１２中に示す案内部材３２２を拡大して示す斜視図である。
【０１１３】
流路形成部材３２０は、本体部３２０ａ及び支持部３２０ｂにより構成されている。本体部３２０ａは、中空の箱型をなしており、その正面及び上面には開口３２０ｃ，３２０ｄがそれぞれ形成されている。正面側の開口３２０ｃは、入賞口用装飾部材３１０の嵌込口３１０ｃに嵌め込まれた状態で、その周縁がフロントカバー３１０ｂの裏面に接触する。
【０１１４】
〔入賞口（大入賞口）〕
また、上面側に形成された開口３２０ｄは、遊技盤ユニット８に設置された状態で、遊技球が流下する方向でみて上方に向けて開口する。開口３２０ｄは、大入賞口として、所定の条件が満たされると、閉鎖状態から開放状態に変化することで遊技領域８ａ内を流下する遊技球の入球を可能とする。以下では、上面側の「開口３２０ｄ」を「大入賞口３２０ｄ」と呼称する。また、本体部３２０ａには、正面側の開口３２０ｃに対向する背面にも一部開口３２０ｇが形成されており、ケース体３３２に設けられた球誘導路３３２ｄの入り口と対向している。
【０１１５】
〔第１流路、第２流路〕
本体部３２０ａの底面には、第１流路３２０ｅ及び第２流路３２０ｆが形成されている。
第１流路３２０ｅは、大入賞口３２０ｄ内に形成され、入球した遊技球を盤面に沿う方向への下り傾斜に沿って案内する。第２流路３２０ｆは、第１流路３２０ｅの下流端に連なって形成され、盤面から奥方向への下り傾斜に沿って入賞口に入球した遊技球を遊技盤ユニット８の裏側へ案内する。図１２に示すように、第１流路３２０ｅと第２流路３２０ｆとの間には段差３２０ｈが形成されており、第２流路３２０ｆは、第１流路３２０ｅよりも一段下がった位置に形成されている。
【０１１６】
〔案内部材〕
また、本実施形態では、第２流路３２０ｆの上流側に案内部材３２２が設けられている。案内部材３２２は、第２流路３２０ｆの上流側に形成され、大入賞口３２０ｄを通過した遊技球の進行方向を第２流路３２０ｆの下流側に指向させるものである。案内部材３２２には、複数の面が形成されており、これらは、上面３２２ａ、傾斜面３２２ｂ、入賞口側傾斜面３２２ｃ、流路側傾斜面３２２ｄ及び直交面３２２ｅにより構成されている。
【０１１７】
具体的には、図１３に示すように、上面３２２ａは、流路形成部材３２０を高さ方向でみて、案内部材３２２の上面に形成されている。傾斜面３２２ｂは、上面３２２ａに連なって形成されており、第１流路３２０ｅへ向けて下り傾斜している。
【０１１８】
〔入賞口側傾斜面〕
入賞口側傾斜面３２２ｃは、傾斜面３２２ｂと同様に上面３２２ａに連なって形成されており、傾斜面３２２ｂよりも第２流路３２０ｆの下流側に配置されている。本実施形態において、入賞口側傾斜面３２２ｃは、大入賞口３２０ｄから下方に向けた遊技球の落下方向に対して、第２流路３２０ｆの下流へ向けた方向に傾斜している。
【０１１９】
〔流路側傾斜面〕
また、流路側傾斜面３２２ｄは、入賞口側傾斜面３２２ｃに連なって形成されており、第１流路３２０ｅの下り傾斜に沿って転動する遊技球の進行方向に対して、第２流路３２０ｆの下流へ向けた方向に傾斜している。
【０１２０】
〔直交面〕
直交面３２２ｅは、傾斜面３２２ｂに連なって形成されており、流路側傾斜面３２２ｄよりも、第２流路３２０ｆの上流側に配置されている。直交面３２２ｅは、大入賞口３２０ｄを通過した遊技球の進行方向に対して直交している。
【０１２１】
図１４は、図１２中に示す流路形成部材３２０の正面図である。本体部３２０ａの底面は、遊技盤ユニット８に設置された状態で傾斜している。
【０１２２】
図１４に示すように、流路形成部材３２０の底面（第１流路３２０ｅ）は、右側の側壁から左側の側壁へ向けて下り傾斜している。大入賞口３２０ｄに入球した遊技球は、底面に落下すると、第１流路３２０ｅの傾斜に沿って左側の側壁へ向けて転動する。このとき、遊技球は、例えば案内部材３２２に衝突することにより、その跳ね返り方向が第２流路３２０ｆの下流側へ指向される。
【０１２３】
図１５は、図１４中に示すＸＶ―ＸＶ線に沿う流路形成部材３２０の横断面図である。図１５中に示す白抜きの矢印は、第１流路３２０ｅを転動する遊技球の進行方向を示している。
【０１２４】
〔流路側傾斜面〕
案内部材３２２には、第１流路３２０ｅの下り傾斜に沿って転動する遊技球の進行方向に対して、第２流路３２０ｆの下流へ向けた方向にＡ１だけ傾斜する流路側傾斜面３２２ｄが形成されている。したがって、遊技球は、案内部材３２２の流路側傾斜面３２２ｄに衝突すると、その跳ね返り方向は、第１流路３２０ｅではなく、第２流路３２０ｆの下流へ向けて指向される。
【０１２５】
また、案内部材３２２には、第１流路３２０ｅの下り傾斜に沿って転動する遊技球の進行方向に対して直交する直交面３２２ｅが形成されている。直交面３２２ｅの幅寸法Ｗは、遊技球の半径よりも小さい。このため、第１流路３２０ｅを転動する遊技球は、直交面３２２ｅに衝突すると、遊技球の重心（中心）の進行方向が流路側傾斜面３２２ｄに沿って第２流路３２０ｆへ案内される。
【０１２６】
図１６は、図１４中に示すＸＶＩ−ＸＶＩ線に沿う流路形成部材３２０の縦断面図である。図１６中に示す白抜きの矢印は、大入賞口３２０ｄの下方に向けた遊技球の落下方向を示している。
【０１２７】
〔入賞口側傾斜面〕
図１６に示すように、入賞口側傾斜面３２２ｃは、遊技球の落下方向に対して、第２流路３２０ｆの下流へ向けた方向にＡ２だけ傾斜している。このとき、上記の流路側傾斜面３２２ｄも入賞口側傾斜面３２２ｃと同様に、遊技球の落下方向に対して、第２流路３２０ｆの下流へ向けた方向にＡ２だけ傾斜している。このため、遊技球の落下方向で見て案内部材３２２の上面３２２ａに衝突した遊技球は、入賞口側傾斜面３２２ｃの傾斜に沿って第２流路３２０ｆの下流側へ案内される。
【０１２８】
このように、本実施形態では、案内部材３２２を設けることにより、大入賞口３２０ｄに入球した遊技球を滞留させることなくスムーズにその流路を切り替えることができる。
【０１２９】
最後に、駆動機構３３０と第２カウントスイッチ８５から構成される第３サブユニットについて説明する。各構成要素を説明する前に、第３サブユニットの駆動機構３３０が作動したことで第２サブユニットの開閉部材３１ａが変位されるようすを説明する。図１７及び図１８は、流路形成部材、開閉部材、及び、駆動機構からなる構成を分解して示す斜視図である。図１７は、駆動機構３３０と連結した開閉部材３１ａが開状態にある場合を図示している。一方、図１８は、駆動機構３３０と連結した開閉部材３１ａが閉状態にある場合を図示している。
【０１３０】
図１７に示すように、駆動機構３３０は、ケース体３３２を備えており、ケース体３３２は、上ケース部材３３２ａ及び下ケース部材３３２ｂにより構成されている。そして、上ケース部材３３２ａの上面には、一対の楕円状溝３３２ｃが形成されている。また、その上ケース部材３３２ａの上面には、一対の外部リンクアーム３１ｂが配置されており、外部リンクアーム３１ｂの端部には貫通孔が形成されており、その貫通孔は楕円状溝３３２ｃ上を動作するように配置されている。そして、第２サブユニットの開閉部材３１ａの連結アーム３１ｐが外部リンクアーム３１ｂの貫通孔の中を通り、上ケース部材３３２ａ上面の楕円状溝３３２ｃ内に変位自在に支持される。この開閉部材３１ａの連結アーム３１ｐは、外部リンクアーム３１ｂの回転に伴って、外部リンクアーム３１ｂの他端部とともに、楕円状溝３３２ｃの長手方向に移動する。これにより、開閉部材３１ａは、本体部３２０ａの上面と支持部３２０ｂとの間をスライドすることにより、本体部３２０ａの上面に形成された大入賞口を開放したり、閉塞したりする。
【０１３１】
例えば、図１７に示すように、外部リンクアーム３１ｂの貫通孔が楕円状溝３３２ｃの遊技盤面側に作動して移動すると、それに伴い開閉部材３１ａの連結アーム３１ｐが遊技盤側に変位することで、ａが大入賞口３１を開放すように遊技盤側に引っ込むこととなる。これにより、本体部３２０ａの上面に形成された大入賞口が開放される。
【０１３２】
また、図１８に示すように、外部リンクアーム３１ｂの貫通孔が楕円状溝３３２ｃのガラス面側に作動して移動すると、それに伴い開閉部材３１ａの連結アーム３１ｐがガラス面側に変位することで、開閉部材３１ａが大入賞口３１を覆い隠すようにガラス面側に突出することとなる。これにより、本体部３２０ａの上面に形成された大入賞口が閉塞される。
【０１３３】
次に、第３サブユニットの駆動機構３３０について具体的に説明する。図１９及び図２０は、駆動機構の内部の構成を分解して示す斜視図である。なお、図１９は、駆動機構３３０と連結した開閉部材３１ａが閉状態にある場合を図示している。一方、図２０は、駆動機構３３０と連結した開閉部材３１ａが開状態にある場合を図示している。
【０１３４】
〔駆動機構〕
ケース体３３２の内部には、開閉部材３１ａをスライド移動させるための駆動源として、第２大入賞口ソレノイド９７や内部リンクアーム３１ｘが搭載されている。
【０１３５】
上ケース部材３３２ａの上面には、一対の外部リンクアーム３１ｂが配置されている。外部リンクアーム３１ｂの一端部、すなわち、外部リンクアーム３１ｂが互いに向き合う方向でみた先端部には、扇形をなすギアが形成されており、相互に噛み合わさっている。また、一対の外部リンクアーム３１ｂのうち、一方の外部リンクアーム３１ｂの先端部には、その下面が上ケース部材３３２ａを介して内部リンクアーム３１ｘに連結されている。
【０１３６】
外部リンクアーム３１ｂの他端部は、楕円状溝３３２ｃに対向して配置されており、上方から開閉部材３１ａの連結アーム３１ｐが連結される。また、内部リンクアーム３１ｘは、楕円状溝３３２ｃに対向する位置で回転自在に支持されている。
【０１３７】
また、外部リンクアーム３１ｂの上方には、固定部材３１ｃが設けられている（図１８又は図１７参照）。固定部材３１ｃは、上ケース部材３３２ａに固定されるとともに、各外部リンクアーム３１ｂの中央付近を固定している。外部リンクアーム３１ｂは、固定部材３１ｃにより固定された位置を中心に回転自在に支持されている。
【０１３８】
また、第２大入賞口ソレノイド９７が駆動することにより、内部リンクアーム３１ｘが回転する。内部リンクアーム３１ｘの回転に伴って、これに連結された外部リンクアーム３１ｂが上ケース部材３３２ａの上面を回転することとなる。
【０１３９】
例えば、図１９に示すように、第２大入賞口ソレノイド９７が非作動状態にある際には、ソレノイド内から突出して備えられている鉄心９７ｃがバネ９７ｂにより押し返されている状態で固定されている。一方、図２０に示すように第２大入賞口ソレノイド９７が駆動すると、鉄心９７ｃが第２大入賞口ソレノイド内に引っ張り込まれる状態で固定される。したがって、第２大入賞口ソレノイド９７が駆動して鉄心９７ｃが変移することにより、内部リンクアーム３１ｘが回転し、その回転に伴って、これに連結された外部リンクアーム３１ｂが上ケース部材３３２ａの上面を回転することとなる。
【０１４０】
〔球誘導路〕
ケース体３３２の左側には、球誘導路３３２ｄが形成されている。また、球誘導路３３２ｄの奥側には、第２カウントスイッチ８５が設置されている。球誘導路３３２ｄは、流路形成部材３２０を転動する遊技球を第２カウントスイッチ８５へ誘導するための誘導路である。第２カウントスイッチ８５は、球誘導路３３２ｄを通過した遊技球を検知する。また、下ケース部材３３２ｂの下面には、図示しない排出口が形成されており、球誘導路３３２ｄ上の第２カウントスイッチ８５を通過した遊技球は、排出口から図示しないアウト通路アセンブリを通じてパチンコ機１の裏側から枠外へ排出され、さらに図示しない島設備の補給経路に合流する。
【０１４１】
なお、下ケース部材３３２ｂの下面には、ＬＥＤユニット３３４が設けられていてもよい。ＬＥＤユニット３３４は、基板３３４ａ、複数のＬＥＤチップ３３４ｂ及び図示しない接続端子を備えている。ＬＥＤチップ３３４ｂは、基板３３４ａの表面（実装面）に実装されており、基板３３４ａに形成された図示しないアンテナパターンに接続される。また、接続端子３３４ｃは、実装面とは反対側の面に実装されており、上記のアンテナパターンを通じて各ＬＥＤチップ３３４ｂと電気的に接続される。また、接続端子は、パネル電飾基板１３８に接続される。ＬＥＤユニット３３４は、例えば、特別遊技中の演出に合わせて各ＬＥＤチップを発光（点灯や消灯等）させる。これにより、例えば、流路形成部材３２０の背面に対して光が照射される。
【０１４２】
次に、３つのサブユニット（第１〜第３サブユニット）を連結して組み立てられて完成する第２可変入賞装置について説明する。
図２１及び図２２は、第２可変入賞装置の構成を分解して示す斜視図である。図２１及び図２２に示されるように、第１サブユニット（入賞用装飾部材）３１０の２箇所に形成されている突起部３１０ｕ及び３１０ｖと、第２サブユニット（流路形成部材）３２０の端部に設けられた位置調整部３２０ｕ及び３２０ｖと、を合わつつ、第１サブユニットの嵌込口３１０ｃに第２サブユニットの流路形成部材３２０がはめ込まれることで、第１サブユニットと第２サブユニットが連結される。
【０１４３】
また、第１サブユニットのベース板３１０ａには、ねじ山が内部に形成された二本の円柱３１０ｓ及び３１０ｔが備えられている。これらの第１サブユニットの円柱３１０ｓ及び３１０ｔを第３サブユニットの端部に形成されている締結部３３７ｓ及び３３７ｔを内部に収納しつつ、締結部３３７ｓ及び３３７ｔの背面からねじ３７０ｓ及び３７０ｔで締結することによって、第１サブユニットと第３サブユニットが締結される。
【０１４４】
したがって、第１サブユニット、第２サブユニット、第３サブユニットをそれぞれ独立して形成したり、組み立てたりし、それら各サブユニットを連結して組み立てることで第２可変入賞装置３１が完成することとなる。このように、独立して各サブユニットを形成することができるため、サブユニット毎に種々に変形することができる。例えば、第１サブユニットの装飾や形状を遊技機に対応して変更したり、遊技盤面上に配置する位置を変更したりすることができる。例えば、第２サブユニットの大入賞口の開口幅や流路の傾斜度合を変更することができる。例えば、第３サブユニットのリンク機構を変形することで、縦置きにしたり横置きにしたり変更することができる。具体的には、遊技機の機種（種類）や種々の遊技性に対応して、第１サブユニットの装飾を変更し、第２サブユニットや第３サブユニットについては共通化することができる。
【０１４５】
このように、遊技機の機種（種類）ごとや種々の遊技性に対応して、各サブユニットを独立して生産することができるため、機種ごとの汎用性を向上させることができ、各サブユニットを連結して組み合わせるだけであることから、組立性の向上及び生産性を向上させることができる。なお、第１サブユニットや第２サブユニットの変形例については第２実施形態として後述する。
【０１４６】
〔球案内構造〕
以下では、特別遊技中に遊技領域８ａを流下する遊技球が大入賞口３２０ｄに入球してから排出口に排出されるまでの構造について説明する。
【０１４７】
図２３は、流路形成部材３２０及び駆動機構３３０を相互に組み合わせた状態で示す斜視図である。特別遊技において大入賞口３２０ｄが開放されると、遊技領域８ａを流下する遊技球は大入賞口３２０ｄへの入球が可能となる。なお、図２３〜図２７では、三次元の座標軸を示している。Ｘ軸は、遊技盤ユニット８の左右方向に沿う方向を示している。Ｙ軸は、遊技盤ユニット８の上下方向に沿う方向を示している。また、Ｚ軸は、遊技盤ユニット８の厚み方向に沿う方向を示している。
【０１４８】
図１に示すように、遊技領域８ａ（盤面）の構成上、普通入賞口２４や第２可変入賞装置３１に遊技球を入球させる場合は、遊技領域８ａ内の右側部分の領域（右打ち領域）に遊技球が打ち込まれる。この右打ち領域を流下する遊技球は、大入賞口３２０ｄに入球すると、その下方位置に配置された本体部３２０ａの底面（第１流路３２０ｅ）に落下する。
第１流路３２０ｅに落下した遊技球は、傾斜方向に転動しながら第２流路３２０ｆへ案内される。
【０１４９】
図２４は、図２３中に示す流路形成部材３２０及び駆動機構３３０の正面図である。図２３中に示す矢印は、遊技球の進行方向を表している。
【０１５０】
図２４では、入賞口用装飾部材３１０の図示を省略しているが、流路形成部材３２０は、遊技盤ユニット８に設置された状態で、その正面の開口３２０ｃが入賞口用装飾部材３１０のフロントカバー３１０ｂ（及び窓４ａ）を通じて外部から視認可能に構成されている。
【０１５１】
したがって、遊技者は、特別遊技中に大入賞口３２０ｄに入球した複数の遊技球が第１流路３２０ｅを転動していく様子を視認することができる。これにより、遊技者に対して特別遊技に対する達成感や満足感を与えることができる。
【０１５２】
図２５は、図２４中に示すＸＸＶ―ＸＸＶ線に沿う流路形成部材３２０及び駆動機構３３０の横断面図である。なお、図２４中に示す実線の矢印は、図２３と同様に遊技球の進行方向を表している。
【０１５３】
第１流路３２０ｅを転動する遊技球は、案内部材３２２に衝突するとその進行方向は、流路側傾斜面３２２ｄの傾斜方向に案内されて第２流路３２０ｆの下流側に切り替えられる。また、大入賞口３２０ｄを通過した遊技球が案内部材３２２の上面に直接衝突した場合、あるいは、第１流路３２０ｅを転動する遊技球が案内部材３２２の上面３２２ａに乗り上げた場合、遊技球の進行方向は、入賞口側傾斜面３２２ｃの傾斜方向に案内されて第２流路３２０ｆの下流側に切り替えられる。いずれにしても、進行方向が切り替えられた遊技球は、第２流路３２０ｆを通じて球誘導路３３２ｄへと誘導される。
【０１５４】
図２６は、図２５中に示す遊技球の進行方向を第２流路３２０ｆへ切り替えるための動作原理を模式的に示す図である。図２６中に示すＸ軸は、遊技盤ユニット８の左右方向を表しており、Ｙ軸は、遊技盤ユニット８の上下方向を表している。また、Ｚ軸は、遊技盤ユニット８の厚み方向を示している。図２６中に示す白抜きの矢印は、遊技球の進行方向を表している。
【０１５５】
Ｘ軸方向に沿って第１流路３２０ｅを転動する遊技球が案内部材３２２に衝突すると、その進行方向は、Ｚ軸方向に指向（案内）される。すなわち、案内部材３２２の直交面３２２ｅに衝突すると、遊技球は、この直交面３２２ｅに連なる流路側傾斜面３２２ｄに沿って転動する。流路側傾斜面３２２ｄは、Ｘ軸に対して第２流路の下流側（Ｚ軸方向）に傾斜している。このため、遊技球が案内部材３２２に衝突すると、その進行方向は、流路側傾斜面３２２ｄに沿って第２流路３２０ｆの下流側に案内される。
【０１５６】
また、Ｚ軸方向で見た直交面３２２ｅの幅寸法Ｗは、遊技球の半径Ｒよりも十分に小さい。このため、遊技球は直交面３２２ｅに衝突すると、その重心（中心）の進行方向は、流路側傾斜面３２２ｄに沿う方向に案内される。したがって、第１流路を転動する遊技球の進行方向をスムーズに切り替えることができる。
【０１５７】
図２７は、図２４中のＸＸＶＩＩ―ＸＸＶＩＩ線に沿う流路形成部材３２０及び駆動機構３３０の縦断面図である。図２７中に示す実線の矢印は、図２４，２５と同様に遊技球の進行方向を表している。
【０１５８】
案内部材３２２によって第２流路３２０ｆへ案内された遊技球は、第２流路３２０ｆの傾斜方向に転動し、球誘導路３３２ｄへ誘導される。球誘導路３３２ｄ内において、遊技球は、上下に形成された誘導リブ３３２ｅに誘導されて第２カウントスイッチ８５を通過する。このとき、第２カウントスイッチ８５では、遊技球の通過を検知する。
第２カウントスイッチ８５を通過した遊技球は、下ケース部材３３２ｂに形成された排出口３３２ｆから図示しないアウト通路アセンブリを通じてパチンコ機１の裏側から枠外へ排出され、さらに図示しない島設備の補給経路に合流する。
【０１５９】
このように、本実施形態のパチンコ機１によれば、大入賞口３２０ｄに入球してから第１流路３２０ｅを経由して第２流路３２０ｆに辿り着くまでの遊技球の軌跡を遊技者に視認させることができる。このため、大当り遊技では、大入賞口に入球した遊技球の軌跡を遊技者に対して視認させることで、遊技球が大入賞口へ入球したことに対する達成感や安心感を遊技者に対して与えることができる。
【０１６０】
また、入賞口に入球した遊技球の進行方向は、遊技球が案内部材に衝突することにより第２流路へ向けて円滑に切り替えられる。このため、遊技球をアタッカ内で滞留させることなくカウントスイッチへ案内することができため、遊技球の軌跡を安定させることができる。
【０１６１】
上記の案内部材３２２には、第１流路の下り傾斜に沿って転動する遊技球の進行方向に対して、第２流路の下流へ向けた方向に傾斜する流路側傾斜面３２２ｄが形成されており、第１流路３２０ｅ上を転動する遊技球の進行方向をスムーズにその奥方向に案内することができる。
【０１６２】
さらに案内部材３２２には、大入賞口３２０ｄを通過した遊技球の落下方向に対して、第２流路３２０ｆの下流へ向けた方向に傾斜する入賞口側傾斜面３２２ｃが形成されており、大入賞口３２０ｄを通過して案内部材３２２に直接接触する遊技球の進行方向をその奥方向に案内することができる。
【０１６３】
本発明の入賞装置は、上述した実施形態に制約されることなく種々に変形することができる。
【０１６４】
〔第２実施形態〕
図２８及び図２９は、第２実施形態の流路形成部材の構成及び入賞口用装飾部材の構成を示す斜視図である。
図２８に示すように、流路形成部材３２０の形状は適宜変形可能である。具体的には、大入賞口３２０ｄの開放幅Ｗについては、本体部３２０ａの上板の幅を伸ばすことによって、第１実施形態の大入賞口３２０ｄの開放幅よりも小さくすることができる。このように、開口幅Ｗを調整することで、大入賞口３２０ｄに入球することが可能な遊技球の個数を制限することができ、遊技機の機種ごと（種類ごと）に対応した流路形成部材３２０（第２サブユニット）を形成することができる。例えば、開口幅Ｗを広く設定することで、短時間に多くの遊技球の入球を可能とすることができ、遊技速度を上げることができる。一方、開口幅Ｗを狭く設定することで、演出の時間を長くとることができ、遊技者の興趣の低下を抑制することができる。
【０１６５】
他にも、図２８に示すように、流路形成部材３２０の本体部３２０ａの底面における第１流路３２０ｅの傾斜度合Θを調整することができる。このように、傾斜度合Θを調整することで、大入賞口３２０ｄに入球した遊技球を排出するまでの時間（大入賞口内に滞在する時間）を調整することができる。例えば、傾斜度合Θを急勾配にすることで遊技球を即座に第３サブユニットに案内し、その入球を検出させることができ、遊技速度を上げることができる。一方、傾斜度合Θを緩やかにすることで大入賞口内に滞在している様子を長くし、大入賞口内に遊技球が入球（入賞）している様子をじっくり遊技者に見せることができ、遊技に対する興趣の低下を抑制することができる。他にも、傾斜度合Θを緩やかにすることで、大入賞口に入賞可能な規定された個数以上の遊技球を入球させることができ（所謂、オーバー入賞）、通常よりも多くの賞球を獲得できることから、遊技に対する興趣の低下を抑制することができる。
【０１６６】
また、図２９に示すように、第１サブユニットの入賞口用装飾部材３１０には、遊技機の機種（種類）に応じて、ベース板３１０ａやフロントカバー３１０ｂの表面（背面）に様々な装飾を施したりすることが可能である。例えば、ベース板３１０の表面の普通入賞口２４の下部の位置に、「連」といった装飾３１７ｐを施すことが可能であり、これにより、装飾３１７ｐを背面から点灯させることで普通入賞口２４への入球（入賞）に関連した演出を実行することができる。また、フロントカバー３１０ｂの表面の大入賞口の位置及びその下部に、ハートを連ならせて大入賞口の大きさを表す装飾３１７ｑを施すことで、大入賞口への入球（入賞）を盛り上げることができる。また、その大入賞口の下部に大中小の大きさのハートを表す装飾３１７ｑを施すことで、大当り遊技が実行されるか否かといった演出を実行することができる。このように、フロントカバー３１０ｂへの装飾を行うことで、大入賞口への入球に関する大当り遊技に関する演出を盛り上げることができ、遊技に対する興趣の低下を抑制することができる。したがって、遊技機の機種ごと（種類ごと）に対応して、第１サブユニット（入賞口用装飾部材）３１０のベース板３１０ａやフロントカバー３１０ｂに施す装飾を変形することができる。
【０１６７】
上記のように、遊技機の機種（種類）に応じて、第１サブユニットに関する装飾を変形し、第２サブユニットの開口幅や傾斜度合を変形したとしても、第３サブユニットについては共通のものを使用することができ、それぞれを連結することで容易に可変入賞装置３１を生産することができる。したがって、第１サブユニット、第２サブユニット、及び、第３サブユニットを独立して生産したものを連結するだけで可変入賞装置３１が生産されるため、遊技機の生産性を向上させることができる。
【０１６８】
また、パチンコ機１の構造や盤面構成、具体的な数値等は図示のものも含めて好ましい例示であり、これらを適宜に変形可能であることはいうまでもない。
【０１６９】
例えば、本発明の入賞装置は、第１可変入賞装置３０に適用してもよいし、可変始動入賞装置２８に適用してもよい。他にも、第３サブユニット内に第２カウントスイッチ８５が備えられているが、第２サブユニット内の第２流路３２０ｆ上に備えてもよい。また、第２サブユニット内に爪片３２０ｐで落脱不能な形態で開閉部材３１ａが備えられているが、第３サブユニットに落脱不能な形態で開閉部材３１ａを備えてもよい。
【符号の説明】
【０１７０】
１    パチンコ機
８    遊技盤ユニット
８ａ  遊技領域
２０    始動ゲート
２６    上始動入賞口
２８    可変始動入賞装置
２８ａ  下始動入賞口
３１    第２可変入賞装置
３１ａ  開閉部材
３３    普通図柄表示装置
３３ａ  普通図柄作動記憶ランプ
３４    第１特別図柄表示装置
３５    第２特別図柄表示装置
３４ａ  第１特別図柄作動記憶ランプ
３５ａ  第２特別図柄作動記憶ランプ
３８    遊技状態表示装置
４２    液晶表示器
４５    演出切替ボタン
７０    主制御装置
７２    主制御ＣＰＵ
７４    ＲＯＭ
７６    ＲＡＭ
１２４    演出制御装置
１２６    演出制御ＣＰＵ
３１０    入賞口用装飾部材
３２０    流路形成部材
３２０ｄ  大入賞口（入賞口）
３２０ｅ  第１流路
３２０ｆ  第２流路
３２２    案内部材
３２２ｃ  入賞口側傾斜面
３２２ｄ  流路側傾斜面
３２２ｅ  直交面
３３０    駆動機構
【図１】
2014128343.tif 000003
【図２】
2014128343.tif 000004
【図３】
2014128343.tif 000005
【図４】
2014128343.tif 000006
【図５】
2014128343.tif 000007
【図９】
2014128343.tif 000008
【図１５】
2014128343.tif 000009
【図１６】
2014128343.tif 000010
【図２６】
2014128343.tif 000011
【図６】
2014128343.tif 000012
【図７】
2014128343.tif 000013
【図８】
2014128343.tif 000014
【図１０】
2014128343.tif 000015
【図１１】
2014128343.tif 000016
【図１２】
2014128343.tif 000017
【図１３】
2014128343.tif 000018
【図１４】
2014128343.tif 000019
【図１７】
2014128343.tif 000020
【図１８】
2014128343.tif 000021
【図１９】
2014128343.tif 000022
【図２０】
2014128343.tif 000023
【図２１】
2014128343.tif 000024
【図２２】
2014128343.tif 000025
【図２３】
2014128343.tif 000026
【図２４】
2014128343.tif 000027
【図２５】
2014128343.tif 000028
【図２７】
2014128343.tif 000029
【図２８】
2014128343.tif 000030
【図２９】
2014128343.tif 000031